(57)【要約】      （修正有）【課題】LED照明器具との通信を安全かつ効率的に行えるシステムを提供する。【解決手段】光ガイドジョイントとして知られているプラスチック光ファイバなどの光ケーブルを経由する光信号を伝達するための方法及び装置は、標準のねじ口金タイプ又は差し込み口金タイプに包囲され、そのような標準のベースを通して伝達された光信号経由でハロゲンランプのために使われると同様に、ＬＥＤ照明器具を制御するための電気配線とホームオートメーションシステムとに組合せられる。同じ光信号は、電気器具の操作とオンオフの切り換えを制御するために該電気器具に電源コンセントを通して、また電源ケーブルアセンブリを通して伝達される。制御のフルレンジ、分配、信号変換、キーバッド及びタッチスクリーンは、ビデオインターホンモニタ及びショッピング端末を含み、光ケーブルを経て上記のようなホームオートメーションを操作し、また制御する。【選択図】図２Ｃ
2011198741.tif 000002
【特許請求の範囲】
【請求項１】
光ケーブルの終端を固定するための取付け具を備える光アクセスを含む電球のために用いられる差し込みソケット及びねじ式ソケットの一方を経る電力供給と共に伝達される光信号によってＬＥＤ照明器具を制御する方法であって、前記ねじ式ソケットの前記光アクセスは、ねじの縦軸の近傍で前記アクセスに整合するその後部接触子に穴及び切り抜き部の一方を含み、
前記光信号は、光ガイド、光ファイバ及びそれらの組合せを含むグループから選択された前記光ケーブルを経て伝搬され、前記電力は、電源線、電源ケーブル、前記光ケーブル及び前記電源線の組合せケーブル、電線用導管、電気ボックス、機械式電源スイッチ、半導体電源スイッチ、調光器、電力リレー、電源ソケット、電源プラグ、電流センサ、電源アダプタ、電源装置及びそれらの組み合わせを含むグループから選択された少なくとも１つの構成要素を経て供給され、
前記照明器具は、前記終端に向けられた光アクセスを備える受光器及び光トランシーバの一方を含み、
前記方法は、
（ａ）前記光信号への光路を提供するために前記光ケーブル端を終端処理すること、
（ｂ）前記取付け具を経て前記光ケーブル端を前記アクセスに固定すること、
（ｃ）前記ソケットを前記構成要素を経て前記電力に接続すること、
（ｄ）前記照明器具を前記ソケットに取り付けること、及び
（ｅ）前記照明器具の操作のための前記光信号を伝搬すること
を含む、ＬＥＤ照明器具の制御方法。
【請求項２】
光ケーブルを電源線と組み合わせた電力ケーブルアセンブリであって電源プラグを備えるケーブルアセンブリ及び電源プラグ及びソケットを備えるケーブルアアセンブリから選択された一方の電力ケーブルアセンブリを経て、電力供給と共に伝搬される光信号によって電気器具を制御するための方法であって、前記電源プラグ及び前記ソケットのそれぞれは、光ガイド、光ファイバ及びそれらの組合せを含むグループから選択された前記光ケーブルの終端処理された端部を経る光アクセスを含み、
前記電力は、電源線、電線用導管、電気ボックス、電気器具、電源コンセント、電源ソケット、電源アダプタ、電流センサ及びそれらの組み合わせを含むグループから選択された少なくとも1つの構成要素を経て伝搬される前記光信号と共に供給され、
前記電気器具は、前記ケーブルアセンブリの前記ソケットと結合するための光アクセスを備えるプラグ差し込み込みと、前記電源プラグを備える前記ケーブルアセンブリに含まれる前記光ケーブルの終端処理された端部を固定するための取付け具を備える内蔵された光アクセスとのうちの一方における前記光信号のための光アクセスを備える光受信器及び光トランシーバの一方を含み、
前記電源ソケットの少なくとも1つは、前記電源ソケットを経てまた前記電気器具への前記ケーブル組合せの結合プラグを経る光経路を提供するための光ケーブルの終端を固定するための取付け具を備えるアクセスを含み、
前記方法は、
（ａ）前記ケーブルアセンブリを前記電気器具に接続すること、
（ｂ）前記電源プラグを前記電源ソケットに取り付けること、及び
（ｃ）前記電源ソケットと前記ケーブルアセンブリとを経て前記電気器具を操作するための前記光信号を伝搬すること
を含む、電気器具の制御方法。
【請求項３】
キーパッド、タッチスクリーン、スイッチコントローラ、リレーコントローラ、照明コントローラ、専用コントローラ、ホームオートメーションコントローラ、ビデオインターホンモニタ、ショッピング端末、信号分配装置、ＩＲドライバー、コマンド変換器及びそれらの組み合わせを含むグループから選択された制御装置からＬＥＤ照明器具及び電気器具の少なくとも１つに電力を供給すると共に光信号を伝搬する方法であって、
電源線、電力ケーブル、電源プラグを備える電力ケーブルアセンブリ、電源プラグ及びソケットを備える電力ケーブルアセンブリ、電源プラグ及び光アクセスを備える前記ケーブルアセンブリの組合せ、それぞれが光アクセスを有する電源プラグ及びソケットを備える前記ケーブルアセンブリの組合せ、電線用導管、電気ボックス、電源ソケット、光アクセスを有する電源ソケット、電源プラグ、電源コンセント、電源スイッチ、電源リレー、電流センサ、電源アダプタ、電球ソケット、ランプアセンブリ及びそれらの組み合わせを含むグループから選択された少なくとも１つの構成要素を経て供給される前記電力と共に、前記光信号は光ガイド、光ファイバ及びそれらの組合せを含むグループから選択された少なくとも１つの光ケーブルを経て伝搬され、
前記制御装置の少なくとも1つは、第１の光アクセスと、前記光ケーブルを前記第１の光アクセスに固定するための第１の取付け具とを備える光送信器を含み、前記ＬＥＤ照明器具及び電気器具の前記少なくとも一方は、第２の光アクセスと、終端処理された他端及び前記第２のアクセスへの前記光ケーブルのカスケード接続の最後の終端処理された端部の一方を固定するための第２の取付け具とを備える光受信器とを含み、
前記光信号は前記光ケーブルの複数の切断片及び一続きのうちの一方を経て前記送信器から前記受信器に伝達され、前記切断片は前記構成要素及び前記結合アダプタの少なくとも1つを通ってカスケード接続に光学的に接続され、前記切断片の各端部は、終端処理され、また前記構成要素のアクセス、前記構成要素の他の切断片の終端処理された端部及び前記結合アダプタの他の切断片の終端処理された端部のグループから選択された結合の組合せを経て連結されており、
前記方法は、
（ａ）前記カスケード接続に連結するための前記切断片及び前記一続きの前記一方のすべての端部に終端処理を施すこと、
（ｂ）前記一連及び前記カスケード接続の前記一方の前記終端処理を受けた端部を前記第１のアクセスに固定し、また前記他方の終端処理された端部及び前記最後の終端処理された端部を前記第２のアクセスに固定すること、
（ｃ）ＬＥＤ照明器具及び電気器具の前記少なくとも一方を前記構成要素を経て前記電力に接続すること、及び
（ｄ）前記制御装置の前記少なくとも１つから前記ＬＥＤ照明器具及び電気器具の少なくとも１つへ、制御、コマンド、連続、パルス列及びそれらの組合せを含むグループから選択された前記光信号を伝搬すること
を含む、光信号伝搬方法。
【請求項４】
前記制御装置の前記少なくとも１つは、さらに第３の受信アクセスと、前記第２の光ケーブルの終端処理された一端を前記第３の受信アクセスに固定するための第３の取付け具とを備える受光器を含み、前記ＬＥＤ照明器具及び電気器具のうちの前記少なくとも1つは、第４の送信アクセスと、帰還光データ信号を伝搬するための光経路を提供するために前記第２の光ケーブルの他方の終端処理された端部を前記第４のアクセスに固定するための第４の取付け具とを備える光送信器を含み、
前記方法は、さらに、
（ａ）前記第２の光ケーブルの両端に終端処理を施すこと、
（ｂ）前記第２の光ケーブルの終端処理された一端を前記第３の受信アクセスに、また終端処理された他端を前記第４のアクセスにそれぞれ固定すること、及び
（ｃ）電流ドレイン、電力状況、処理プログラム、コマンド確認及びそれらの組み合わせを含むグループから選択された前記帰還光データ信号を伝搬することを含む、請求項３に記載の方法。
【請求項５】
前記制御装置の前記少なくとも１つはさらに受光器を含み、前記ＬＥＤ照明器具及び前記電気器具の前記少なくとも１つは光送信器であって光プリズムと、前記光送信器と共に前記受光器を一体化された双方向ガイドカプラに一体化することとの一方によって前記第１のアクセス及び第２のアクセスを経て双方向信号を伝搬するための光送信器を含み、
さらに、電流ドレイン、電力状況、処理プログラム、コマンド確認及びそれらの組合せを含むグループから選択された、帰還データを含む前記双方向光データ信号を伝搬することを含む、請求項３に記載の方法。
【請求項６】
光信号を受けるための前記第２のアクセスは前記ＬＥＤ照明器具のねじ式電球ベースの後部中央近傍に含められており、前記光ケーブルは、適合する電球ソケットのねじの縦軸線の近傍の後部本体及び接触子の穴及び切り抜き部の一方を経てアクセスされる、請求項３に記載の方法。
【請求項７】
前記第２のアクセスは前記ＬＥＤ照明器具のねじ式電球ベースの後部中央近傍に含められており、前記光ケーブルは、適合する電球ソケットのねじの縦軸線の近傍の後部本体及び接触子の穴及び切り抜き部の一方を経てアクセスされる、請求項５に記載の方法。
【請求項８】
前記第２のアクセスは前記ＬＥＤ照明器具の差し込み式電球ベースの後部に含められており、前記光ケーブルは、適合するプラグ差し込み電球ソケットの穴及び切り抜き部の一方を通してアクセスされる、請求項３に記載の方法。
【請求項９】
前記第２のアクセス及び第４のアクセスは、前記ＬＥＤ照明器具の差し込み式電球ベースの後部に含められており、前記光ケーブル及び第２の光ケーブルは、適合するプラグ挿し込み電球ソケットの穴、切り抜き部及びそれらの組合せを含むグループから選択された構造を通してアクセスされる、請求項４に記載の方法。
【請求項１０】
前記第２のアクセスは、前記ＬＥＤ照明器具のプラグ差し込み式電球ベースの後部に含められており、前記光ケーブルは、適合するプラグ挿し込み電球ソケットの穴及び切り抜き部の一方を経てアクセスされる、請求項５に記載の方法。
【請求項１１】
前記送信器光信号と前記ＬＥＤ照明器具及び電気器具の前記少なくとも一方とをリンクするための光アクセスを備える前記電力ソケットの少なくも１つは、電力プラグを備える前記ケーブルアセンブリの組合せ及びアクセスの一方に接続されており、前記ケーブルアセンブリの組合せに含められている前記光ケーブルの終端処理された前記端部は前記光信号を受信するための前記第２のアクセスに取り付けられており、
前記方法は、さらに、前記電力を供給しまた送信器光信号を前記ＬＥＤ照明器具及び電気器具の前記少なくとも1つに伝搬するための光アクセスを備える前記電力ソケットに、前記ケーブル組合せの光アクセスを備える前記電力プラグを結合することを含む、請求項３に記載の方法。
【請求項１２】
前記双方向光信号と前記ＬＥＤ照明器具及び電気器具の前記少なくとも一方とをリンクするための光アクセスを備える前記電力ソケットの少なくも１つは、電力プラグを備える前記ケーブルアセンブリの組合せ及びアクセスの一方に接続されており、前記ケーブルアセンブリの組合せに含められている前記光ケーブルの終端処理された前記端部は前記双方向光信号を伝搬するための前記第２のアクセスに取り付けられており、
前記方法は、さらに、前記電力を供給しまた前記双方向光信号を前記ＬＥＤ照明器具及び電気器具の前記少なくとも1つに伝搬し及び該１つから伝搬するための光アクセスを備える前記電力ソケットに、前記ケーブルアセンブリの組合せの光アクセスを備える前記電力プラグを結合することを含む、請求項５に記載の方法。
【請求項１３】
前記送信器光信号と前記ＬＥＤ照明器具及び電気器具の前記少なくとも一方とをリンクするための光アクセスを備える前記電力ソケットの少なくも１つは、アクセスを備えるプラグ差し込み式の組合せを含みかつ電力プラグと、前記電力ソケットの前記アクセスを前記プラグ差し込み式組合せの前記アクセスに光学的にリンクするための光アクセスを備えるソケットとを備える前記ケーブルアセンブリの組合せに結合され、
前記方法は、さらに、前記電力を供給しまた前記光信号を前記ＬＥＤ照明器具及び電気器具の前記少なくとも1つに伝搬するための光アクセスを備える前記電力ソケットに、前記ケーブルアセンブリの組合せの光アクセスを備える前記電力プラグを結合することを含む、請求項３に記載の方法。
【請求項１４】
前記双方向光信号と前記ＬＥＤ照明器具及び電気器具の前記少なくとも一方とをリンクするための光アクセスを備える前記電力ソケットの少なくも１つは、アクセスを備えるプラグ差し込み式の組合せを含みかつ電力プラグと、前記電力ソケットの前記アクセスを前記プラグ差し込み式組合せの前記アクセスに光学的にリンクするための光アクセスを備えるソケットとを備える前記ケーブルアセンブリの組合せに結合され、
前記方法は、さらに、前記電力を供給しまた前記双方向光信号を前記ＬＥＤ照明器具及び電気器具の前記少なくとも1つに伝搬するための光アクセスを備える前記電力ソケットに、前記ケーブルアセンブリの組合せの光アクセスを備える前記電力プラグを結合することを含む、請求項５に記載の方法。
【請求項１５】
電源ソケット、電源コンセント、電源スイッチ、電源リレー、半導体電源スイッチ、調光器、電流センサ、電源アダプタ、電源、電球ソケット、ランプアセンブリ及びそれらの組合せを含む前記構成要素の選択されたグループの少なくとも１つは、１つの光カスケード受信器及び１つの光カスケード送信器を含み、該送信器は、デュアルアクセスと、２つの隣接した前記切断片の終端処理された両端を前記デュアルアクセスにカスケード接続で固定するための２つの取付け具とを備え、前記カスケード受信器によって受け取られた前記光信号は前記カスケード送信器により処理されまた前記カスケード接続の他端に再生される、請求項３に記載の方法。
【請求項１６】
電源ソケット、電源コンセント、電源スイッチ、電源リレー、半導体電源スイッチ、調光器、電流センサ、電源アダプタ、電源、電球ソケット、ランプアセンブリ及びそれらの組合せを含む前記構成要素の選択されたグループの少なくとも１つは、デュアルトランシーバを含み、該トランシーバは、２つのアクセスと、２つの隣接した前記切断片の終端処理された両端を前記２つのアクセスにカスケード接続で固定するための２つの取付け具とを備え、前記トランシーバの１つによって受け取られた前記光信号は他方の前記トランシーバにより処理されまた前記カスケード接続の他端に再生される、請求項５に記載の方法。
【請求項１７】
前記結合アダプタは、内側接合管、熱収縮管、かしめ管及び機械的なロック管のグループから選択される、請求項３に記載の方法。
【請求項１８】
光ケーブルの終端を固定するための取付け具を備える光アクセスを含む電球のために用いられる差し込みソケット及びねじ式ソケットの一方を経る電力供給と共に伝達される光信号によってＬＥＤ照明器具を制御するための装置であって、前記ねじ式ソケットの前記光アクセスは、ねじの縦軸の近傍で前記アクセスに整合するその後部接触子に穴及び切り抜き部の一方を含み、
前記光信号は、光ガイド、光ファイバ及びそれらの組合せを含むグループから選択された前記光ケーブルを経て伝搬され、前記電力は、電源線、電源ケーブル、前記光ケーブル及び前記電源線の組合せケーブル、電線用導管、電気ボックス、光アクセスを備える電源ソケット、電源スイッチ、半導体電源スイッチ、調光器、電力リレー、電源ソケット、電源プラグ、電流センサ、電源アダプタ、電源装置及びそれらの組み合わせを含むグループから選択された構成要素を経て供給され、
前記照明器具は、該照明器具を操作するための前記光信号の伝搬のために、前記終端に向けられた光アクセスを備える受光器及び光トランシーバの一方を含む、ＬＥＤ照明器具を制御するための装置。
【請求項１９】
光ケーブルを電源線と組み合わせた電力ケーブルアセンブリであって電源プラグを備えるケーブルアセンブリ及び電力プラグ及びソケットを備えるケーブルアセンブリの一方から選択されたケーブルアセンブリを経て、電力供給と共に光信号の伝搬によって電気器具を制御するための装置であって、前記電源プラグ及び前記ソケットのそれぞれは、光ガイド、光ファイバ及びそれらの組み合わせを含むグループから選ばれた前記光ケーブルの終端処理された端部を経る光アクセスを含み、前記電力は、電気配線、電線用導管、電気ボックス、電気器具、電源コンセント、電源ソケット、電源スイッチ、電源アダプタ、電流センサ及びそれらの組み合わせを含むグループから選択された構成要素を経て、伝搬される前記光信号と共に供給され、
前記電気器具は、前記ケーブルアセンブリの前記ソケットと結合するための光アクセスを備えるプラグ差し込み込みと、電源プラグを備える前記ケーブル組合せに含まれる前記光ケーブルの終端処理された端部を固定するための取付け具を備える内蔵された光アクセスとのうちの一方における前記光信号のための光アクセスを備える光受信器及び光トランシーバの一方を含み、前記電源ソケットの少なくとも1つは、前記電源ソケットを経てまた前記電気器具への前記ケーブルアセンブリの結合プラグを経る光経路を提供するための光ケーブルの終端を固定するための取付け具を備えるアクセスを含む、電気器具を制御する装置。
【請求項２０】
キーパッド、タッチスクリーン、スイッチコントローラ、リレーコントローラ、照明コントローラ、専用コントローラ、ホームオートメーションコントローラ、ビデオインターホンモニタ、ショッピング端末、信号分配装置、ＩＲドライバー、コマンド変換器及びそれらの組み合わせを含むグループから選択された制御装置からＬＥＤ照明器具及び電気器具の少なくとも１つに電力供給と共に光信号を伝搬する装置であって、
電源線、電力ケーブル、電源プラグを備える電力ケーブルアセンブリ、電源プラグ及びソケットを備える電力ケーブルアセンブリ、電源プラグ及び光アクセスを備える前記ケーブルアセンブリの組合せ、それぞれが光アクセスを有する電源プラグ及びソケットを備える前記ケーブルアセンブリの組合せ、電線用導管、電気ボックス、電源ソケット、光アクセスを有する電源ソケット、電源プラグ、電源コンセント、電源スイッチ、電源リレー、電流センサ、電源アダプタ、電球ソケット、ランプアセンブリ及びそれらの組み合わせを含むグループから選択された構成要素を経て供給される前記電力と共に、前記光信号は光ガイド、光ファイバ及びそれらの組合せを含むグループから選択された少なくとも１つの光ケーブルを経て伝搬され、
前記制御装置の少なくとも1つは、第１の光アクセスと、前記光ケーブルを前記第１の光アクセスに固定するための第１の取付け具とを備える光送信器を含み、前記ＬＥＤ照明器具及び電気器具の前記少なくとも一方は、第２の光アクセスと、終端処理された他端及び前記第２のアクセスへの前記光ケーブルのカスケード接続の最後の終端処理された端部の一方を固定するための第２の取付け具とを備える光受信器を含み、
前記制御装置の少なくとも１つから前記ＬＥＤ照明器具及び電気器具の少なくとも１つへの、制御、コマンド、連続、パルス列及びそれらの組合せを含むグループから選択された前記光信号は、前記光ケーブルの複数の切断片及び一続きの一方を経て前記送信器から前記受信器に伝達され、前記切断片は前記構成要素及び前記結合アダプタの少なくとも1つを通ってカスケード接続に光学的に接続され、
前記切断片の各端部は、終端処理され、また前記構成要素のアクセス、前記構成要素の他の切断片の終端処理された端部及び前記結合アダプタの他の切断片の終端処理された端部のグループから選択された結合の組合せを経て連結されている、伝搬装置。
【請求項２１】
前記制御装置の前記少なくとも１つは、さらに第３の受信アクセスと、前記第２の光ケーブルの終端処理された一端を固定するための第３の取付け具とを備える受光器を含み、前記ＬＥＤ照明器具及び電気器具のうちの前記少なくとも1つは、さらに、第４の送信アクセスと、電流ドレイン、電力状況、処理プログラム、コマンド確認及びそれらの組み合わせを含むグループから選択された帰還光データ信号を伝搬するための光経路を提供するために前記第２の光ケーブルの他方の終端処理された端部を前記第４のアクセスに固定するための第４の取付け具とを備える光送信器を含む、請求項２０に記載の伝搬装置。
【請求項２２】
前記制御装置の前記少なくとも１つはさらに受光器を含み、前記ＬＥＤ照明器具及び前記電気器具の前記少なくとも１つは光送信器であって光プリズムと、前記光送信器と共に前記受光器を一体化された双方向光ガイドカプラに一体化することとの一方によって前記第１及び第２のアクセスを経て双方向光信号を伝搬するための光送信器を含み、また伝搬される前記双方向光信号は、電流ドレイン、電力状況、処理プログラム、コマンド確認及びそれらの組合せを含むグループから選択された、帰還データを含む、請求項２０に記載の伝搬装置。
【請求項２３】
前記第２のアクセスは前記ＬＥＤ照明器具のねじ式電球ベースの後部中央に含められており、前記光信号は、適合する電球ソケットのねじの縦軸線の近傍の後部本体及び接触子の穴及び切り抜き部の一方を経てアクセスされる、請求項２０に記載の伝搬装置。
【請求項２４】
前記第２のアクセスは前記ＬＥＤ照明器具のねじ式電球ベースの後部端子の中央に含められており、前記光信号は、適合する電球ソケットのねじの縦軸線の近傍の後部本体及び接触子の穴及び切り抜き部の一方を経てアクセスされる、請求項２２に記載の伝搬装置。
【請求項２５】
前記第２のアクセスは前記ＬＥＤ照明器具の差し込み式電球ベースの後部に含められており、前記光ケーブルは、適合するプラグ差し込み電球ソケットの穴及び切り抜き部の一方を通してアクセスされる、請求項２０に記載の伝搬装置。
【請求項２６】
前記第２のアクセス及び第４のアクセスは、前記ＬＥＤ照明器具の差し込み式電球ベースの後部に含められており、前記光ケーブル及び第２の光ケーブルは、適合するプラグ挿し込み電球ソケットの穴、切り抜き部及びそれらの組合せを含むグループから選択された構造を通してアクセスされる、請求項２２に記載の伝達装置。
【請求項２７】
前記第２のアクセスは、前記ＬＥＤ照明器具のプラグ差し込み式電球ベースの後部に含められており、前記光ケーブルは、適合するプラグ挿し込み電球ソケットの穴及び切り抜き部の一方を経てアクセスされる、請求項２２に記載の伝搬装置。
【請求項２８】
前記送信器光信号と前記ＬＥＤ照明器具及び電気器具の前記少なくとも一方とをリンクするための光アクセスを備える前記電力ソケットの少なくも１つは、電力プラグを備える前記ケーブルアセンブリの組合せ及びアクセスの一方に接続されており、前記ケーブルアセンブリの組合せに含められている前記光ケーブルの終端処理された前記端部は前記光信号を受信するための前記第２のアクセスに取り付けられており、
前記ケーブルアセンブリの組合せの光アクセスを備える前記電力プラグは、前記電力を供給しまた送信器光信号を前記ＬＥＤ照明器具及び電気器具の前記少なくとも1つに伝搬するための光アクセスを備える前記電力ソケットに結合されている、請求項２０に記載の伝搬装置。
【請求項２９】
前記双方向光信号と前記ＬＥＤ照明器具及び電気器具の前記少なくとも一方とをリンクするための光アクセスを備える前記電力ソケットの少なくも１つは、電力プラグを備える前記ケーブルアセンブリの組合せ及びアクセスの一方に接続されており、前記ケーブルアセンブリの組合せに含められている前記光ケーブルの終端処理された前記端部は前記双方向光信号を伝搬するための前記第２のアクセスに取り付けられており、
前記ケーブルアセンブリの組合せの光アクセスを備える前記電力プラグは、前記電力を供給しまた前記双方向光信号を前記ＬＥＤ照明器具及び電気器具の前記少なくとも1つに伝搬し及び該１つから伝搬するための光アクセスを備える前記電力ソケットに結合されている、請求項２２に記載の伝搬装置。
【請求項３０】
前記送信器光信号と前記ＬＥＤ照明器具及び電気器具の前記少なくとも一方とをリンクするための光アクセスを備える前記電力ソケットの少なくも１つは、アクセスを備えるプラグ差し込み式の組合せを含みかつ電力プラグと、前記電力ソケットの前記アクセスを前記ケーブルアセンブリの組合せを経て前記プラグ差し込み式組合せの前記アクセスに光学的にリンクするための光アクセスを備えるソケットとを備える前記ケーブルアセンブリの組合せに結合され、
前記ケーブルアセンブリの組合せの光アクセスを備える前記電力プラグは、前記電力を供給しまた前記光信号を前記ＬＥＤ照明器具及び電気器具の前記少なくとも1つに伝搬するための光アクセスを備える前記電力ソケッに結合されている、請求項２０に記載の伝搬装置。
【請求項３１】
前記双方向光信号と前記ＬＥＤ照明器具及び電気器具の前記少なくとも一方とをリンクするための光アクセスを備える前記電力ソケットの少なくも１つは、アクセスを備えるプラグ差し込み式の組合せを含みかつ電力プラグと、前記電力ソケットの前記アクセスを前記ケーブルアセンブリの組合せを経て前記プラグ差し込み式組合せの前記アクセスに光学的にリンクするための光アクセスを備えるソケットとを備える前記ケーブルアセンブリの組合せに結合され、
前記ケーブルアセンブリの組合せの光アクセスを備える前記電力プラグは、前記電力を供給しまた前記双方向光信号を前記ＬＥＤ照明器具及び電気器具の前記少なくとも1つに伝搬するための光アクセスを備える前記電力ソケッに結合されている、請求項２２に記載の伝搬装置。
【請求項３２】
電源ソケット、電源コンセント、電源スイッチ、電源リレー、半導体電源スイッチ、調光器、電流センサ、電源アダプタ、電源、電球ソケット、ランプアセンブリ及びそれらの組合せを含む前記構成要素の選択されたグループの少なくとも１つは、１つの光カスケード受信器及び１つの光カスケード送信器を含み、該送信器は、デュアルアクセスと、２つの隣接した前記切断片の終端処理された両端を前記デュアルアクセスにカスケード接続で固定するための２つの取付け具とを備え、前記カスケード受信器によって受け取られた前記光信号は前記カスケード送信器により処理されまた前記カスケード接続の他端に再生される、請求項２０に記載の伝搬装置。
【請求項３３】
電源ソケット、電源コンセント、電源スイッチ、電源リレー、半導体電源スイッチ、調光器、電流センサ、電源アダプタ、電源、電球ソケット、ランプアセンブリ及びそれらの組合せを含む前記構成要素の選択されたグループの少なくとも１つは、デュアルトランシーバを含み、該トランシーバは、２つのアクセスと、２つの隣接した前記切断片の終端処理された両端を前記２つのアクセスにカスケード接続で固定するための２つの取付け具とを備え、前記トランシーバの１つによって受け取られた前記光信号は他方の前記トランシーバにより処理されまた前記カスケード接続の他端に再生される、請求項２２に記載の伝搬装置。
【請求項３４】
前記結合アダプタは、内側接合管、熱収縮管、かしめ管及び機械的なロック管のグループから選択される、請求項２０に記載の伝搬装置。
【発明の詳細な説明】
【技術分野】
【０００１】
本発明は、ＡＣ駆動のＬＥＤ照明器具、他のＡＣ又はＤＣ駆動の電気器具、電気コンセント、光ガイド及び光ファイバケーブル、光ホームオートメーションコントローラ、スイッチ及び信号分配装置を含むＬＥＤ照明器具に関する。
【背景技術】
【０００２】
ＬＥＤ照明器具は、２０ｍＡ〜５０ｍＡのような所定の電流ドレインを伴う２Ｖ〜５Ｖの低圧で動作する。いくつかの高輝度ＬＥＤは、より多くの電流を消耗するが、既知のＬＥＤのいずれも、１２０Ｖの交流などの標準ＡＣ電力線をＬＥＤに適用して動作させることはできない。ＬＥＤ照明器具を直接ＡＣ電力線に接続するためには、前記電源は、該ＬＥＤが動作する電圧及び電流レベル内に修正され、調節されなければならない。
【０００３】
新しく開発されたＬＥＤ光デバイスを今導入するについて直面する問題は、ＬＥＤをアパート、家庭、オフィス及びその他の建物の既存のＡＣ電線に組み込む必要性である。ＬＥＤ照明器具は、それらの光の色、色相及び輝度を変えるなど多くの点で制御することができる。それらは、キャンドルライトなどのより多くの照明場面を提供するように、プログラムされ得る。輝度及び色を含むすべてのそのようなシナリオの制御のために、操作すなわち前記ＬＥＤのオン、オフ切り換えのために制御信号を伝達し、また電流ドレイン、運転中の特定のプログラム等のような状況を前記ＬＥＤから受ける必要性がある。そのような一方向又は双方向制御信号は、特に前記ＬＥＤへのＤＣ供給がパワー調整器の切り換え動作の導入を必要とし、これは雑音となり、むらがあり伝達信号を乱すので、ＡＣ電力線を経て前記ＬＥＤに伝達しづらい。他方、別個の低電圧制御線をＡＣ駆動のＬＥＤ照明器具に接続することは、電気及び建築の規制条例によって禁止されており、よって、使うことができない。
【０００４】
さらに、一般的に使われる照明設備は、白熱電球に世界的に用いられているような標準のねじ式ソケット又はハロゲン球に使われているような標準の２ピンソケットを使用する。一般的に使われる標準のソケットのいずれも、別個の制御線を接続するための端子又はピンを備えない。この状況は、制御機能付きＬＥＤ照明器具の導入を妨げており、及び／又はそのような導入を専門的な高価格のＬＥＤ照明器具に制限している。ＬＥＤ照明器具のオンオフ切り換えを含み、該ＬＥＤ照明器具を制御するための、より簡単でより低価格の解決策が必要とされている。
【先行技術文献】
【特許文献】
【０００５】
【特許文献１】米国特許第７，６４９，７２２号明細書
【特許文献２】米国特許第７，２９０，７０２号明細書
【特許文献３】米国特許第５，９２３，３６３号明細書
【特許文献４】米国特許第６，６０３，８４２号明細書
【特許文献５】米国特許第６，９４０，９５７号明細書
【発明の概要】
【０００６】
ＬＥＤ照明器具を制御の解決策は、ＬＥＤ照明器具本体ベースの受信アクセス又は開口を通して制御及びコマンド信号を伝達するために直接接続されるか、電球標準ＡＣソケットに取り付けることができる光ガイド及び／又は光ファイバケーブルの使用を通しての本発明によって達成される。ＡＣ電気器具の操作のための光ファイバケーブルの使用は、照明電気器具及びパッケージ化された半導体スイッチを含み、米国特許出願第１２／２３６，６５６号及び１２／６３２，１０８号と、ＰＣＴ／ＵＳ２００９／０４８３７６号に開示されており、参照によりここに含まれている。
【０００７】
制御装置の送信ＬＥＤによって生成された光信号などの、照明器具のオン、オフを切り替えるための光ガイド又は光ファイバを経由するＬＥＤ照明器具への光伝達は、本発明の主要な目的である。これは、単純なオン、オフコマンドを供給するための及び可視光、ＵＶ又はＩＲ信号から成る光信号通信のためのより精密なコマンドのために前記ＬＥＤ照明器具及びそれらのソケット又はホルダーへの光ガイド接続の単純さを含み、これにより光制御及び通信のための新たなメディアを導入する。前記光ガイド及び前記光ファイバケーブルは、電気ボックス中のノイズ及び外乱から制御信号及びケーブルを絶縁する必要性を含む最も効率的な通信解決策を提供し、システムは他の目的である。
【０００８】
さらに、前記信号ケーブルを電気的に前記電力線と、電源スイッチ、調光器、ＡＣソケット及びＡＣ及び／又はＤＣ電源装置を含む、ＡＣ及び／又はＤＣ電力を照明器具へ供給する装置とから絶縁する必要性は絶対的である。低電圧制御線と電源線との混合及び装置は、建築及び電気の規制条例によって禁止されており、完全な絶縁物である光ガイドの使用は、本発明による他の解決である。
【０００９】
さらに、そのような電力装置は、オン、オフ状態、待機状態のような所定の電流ドレイン及び状態の光信号出力のための半導体送信機構を含むＡＣ又はＤＣ電流センサ又は感知回路を含むことができ、又は上記で参照された米国特許出願１１／９３９，７８５号、１２／２３６，６５６号、１２／６３２，１０８号及び米国特許７，６４９，７２２号で開示されたような電流ドレインレベルデータの供給が可能である。
【００１０】
本発明の他の目的は、ビデオインターホン及び／又は「ショッピング端末」を通して及び／又は通信ネットワーク経由を通して、前記ビデオインターホン及びショッピング端末による、又は米国特許７，６４９，７２２号で開示されるようなドライバー回路又は他のドライバー回路を用いて種々の照明電気器具のための他の専用コントローラによる制御コード及び信号の生成を含み、光及び照明電気器具の状態を操作し、監視することである。「ショッピング端末」は米国特許７，２９０，７０２号に開示されている。ビデオインターホンシステムは、米国特許５，９２３，３６３号、６，６０３，８４２号及び６，９４０，９５７号に開示されている。
【００１１】
以下の記載における構成要素、部品、構造及び技術に関連するフォト、オプト又は光学的の用語は同じである。
【００１２】
光ガイドカプラという用語は、光送信器及び／又は受光器及び／又は光起電性セルを組み込み、前記受光器又は前記光送信器又は双方に位置合わせされた光アクセスを含む半導体回路構造体を指す。前記構造体は、前記光ガイド又は光ファイバを前記光アクセスへ導くための光ガイドホルダー構造体を含む（組み込み式）ことができ、そのような光ガイドホルダーはカプラ回路への取付けのための別個の構造体とすることができる。
【００１３】
活性ＡＣ（live AC）という用語は、交流電源又は配線源の中性線に対して、該交流電源又は配線源の「活性線」を指す。
【００１４】
送信器（トランスミッタ）という用語は、電気信号をＵＶ、ＩＲ又は可視光信号に変換するＬＥＤ、レーザ又はその他の光放出装置を指す。
【００１５】
送信という用語は、携帯リモートコントローラからのように空中へ又は光ガイドあるいは光ファイバへ送信器からＵＶ、ＩＲ又は可視光を放出することを指す。
【００１６】
受信器という用語は、フォトダイオード、ピン（ＰＩＮ）ダイオード、フォトトランジスタ、ＣＭＯＳ、ＣＣＤ又はＵＶ、ＩＲあるいは可視光を電気信号又は電荷に変換する他の光起電性又は光電性の受信器を指す
【００１７】
受信という用語は、携帯ＩＲリモートコントローラからなどのように視線方向へ空気中で又は光ガイドあるいは光ファイバを介して前記受信器の素地上に、又はプリズム、ハーフミラー、レンズ、フィルタ及び他の光学構造物を含む透明材料を経て、ＵＶ、ＩＲ又は可視光を受けることを指す。
【００１８】
トランシーバという用語は、送信器及び受信器の組合せを指し、半導体パッケージに埋設され、又は受け取られた前記受信器への光信号を屈折あるいは案内することによって、光ガイドあるいは光ファイバのような1つの光ケーブルを通っての光信号の双方向への伝達のため及び送られた光信号が前記光ケーブルに入ることが可能となる光学プリズムに取り付けられたトランシーバを含む。トランシーバという用語は、２つの光ケーブル経由で双方向へ光信号を伝達するトランシーバを含む。
【００１９】
光学プリズムの用語は、該プリズムを経由して及び1つの光ガイド又は光ファイバを経由して伝達された双方向の光信号（受信及び送信の両光信号）を屈折し及び又は分離するための構造をいう。前記プリズムは、偏光フィルタ、所定可視光波長パスフィルタ、可視光帯域パスフィルタ、所定波長のＵＶパスフィルタ、所定波長ＩＲパスフィルタ、所定波長のＵＶカットフィルタ、所定波長のＩＲカットフィルタ、所定の反射率を有するハーフミラー及びそれらの組合せのグループから選ばれた光デバイスを含み、前記フィルタ及び／又はハーフミラーは、前記プリズムを形成し、又は前記プリズムに取付けられ、及び／又は前記プリズム上に塗られ、及び／又は色調、粒子又はプロセスの形態でプリズム素材に導入される。プリズム構造のさらなる詳細は、米国特許出願第１２／２３６，６５６号及び１２／６３２，１０８号に開示されており、参照によってここに含まれている。
【００２０】
ＵＶ、ＩＲ又は可視光は、以下の説明において個々に説明されているが、ＵＶ、ＩＲ又は可視光の用語は、すべて同じである。光、ＵＶ、ＩＲ又は可視光という用語は、光信号と代替的に使われており、そのように説明されない限り、その一方又は他方に制限的であるべきでない。
【００２１】
コントローラ又は制御装置の用語は、コマンド及び通信を一方向又は双方向へ伝えるために、低電圧線又はバスラインとして知られている制御線を経て光スイッチ、照明器具及び他の装置を制御するシステムコントローラをいう。前記制御線は、前記装置に直流１２Ｖのような低出力を供給することができる。前記コントローラは、１方向又は双方向光通信回路と光ガイド又は光ファイバのためのホルダーとを含むＡＣ又はＤＣ照明器スイッチ装置と通信するために、及び前記照明器本体又は照明器ソケットとの直接の通信のために、また光信号（光、ＵＶ、ＩＲ又は可視光の信号）を伝達する。低電圧線という用語は、コントローラの制御線を指す。
【００２２】
電流センサの用語は、ＤＣ電力線を流れる直流電流ドレインを検出するための直流センサ及び／又はＡＣ電力線を流れる又はスイッチ装置を流れる交流電流を検出するための及び／又は一方向又は双方向の光信号を経て電流ドレイン状態を生成するための交流センサを指し、上記で参照された米国特許７，６４９，７２２及び米国特許出願１１／９３９，７８５、１２／２３６，６５６及び１２／６３２，１０８の各号で開示されたような誘導による検出を含む。
【００２３】
本発明の、ＡＣ又はＤＣ電力で動作するＬＥＤ照明器具の遠隔操作のために、制御装置及びＬＥＤ照明器具間の信号伝達のための方法及び装置と、他の目的とは、本発明の光ガイド送信器及び受信器間又はトランシーバ間に光ガイド又は光ファイバを導入することによって達成される。例えば電気コマンド及び通信信号を送受信する低電圧コントローラとの間で、光ガイド又は光ファイバケーブルを経て光照明及び他の電気器具を操作するためのオン、オフコマンドを含む一方向又は双方向のUV、IR又は光信号の伝達のために前記信号を光信号に変換すべく、本発明の光ガイドカプラ又は光ガイドコンバータを使用する。
【００２４】
本発明の光ガイドカプラは、家庭、レジデンス、オフィス、店舗、レストラン、ホール、工場及び施設、屋内又は屋外で使用される如何なるタイプの照明や他の電気器具及びＬＥＤ照明器具に、光ガイド又は光ファイバケーブルを経て前記照明及び前記器具の制御のために、導入することができる。また、オン、オフ状態又は待機状態又は前記照明器具からの所定の進行中の照明プログラムのような帰還光信号を通して、接続された前記器具からの電流ドレインを確認する光信号を受け取るためである。
【００２５】
前記電流ドレイン又は前記オン、オフ状態のデータは、オン、オフのような受信された操作コマンドに応じて、又は電流センサ出力に基づく問い合わせコマンド（データ要求）に応じて送られ、これにより家電製品の誤りの無い遠隔操作を提供することができる。
【００２６】
光ガイド及び／又はＬＥＤ照明器具への直接の光ファイバケーブルの導入は、照明器具とそれらのソケット又はホルダーの範囲全体に、またテレビや他のオーディオ、ビデオ電気器具を含む種々の電気器具の電力ケーブルアセンブリを含む電源ソケット及びプラグにあてはまる。世界的な標準の球ベースとソケットになった、長い１００年以上定着したねじ式電球ホルダーの例は、解決される必要がある問題のうちの1つである。
【００２７】
前記ねじ式球ホルダーは、物理的に、如何なるタイプの有線の制御信号線とも接続され得ない。これは、前記球が回転によって前記ソケットに挿入されるためであり、該球のねじ式本体が照明素子のための一方の端子であり、他方の端子が前記ベースの後ろの中央表面であり、それは一般的にはんだ付けされた表面である。これは、制御線のための補助端子又は接続をそのような球下部構造とそのソケットに追加することを不可能にする。
【００２８】
しかしながら、以降に示されまた説明されるように、光ガイドケーブルを電球ベースの後部表面の中央でその光アクセスと共に電球ソケット及び光ガイドカプラの中央に導入することは簡単であり、一方向又は双方向の信号の直接供給は、ねじ式ベースを備える電球の中に構造化されたＬＥＤ照明器具のそのような取付けによって完全に達成される。
【００２９】
同様に、以後に示し説明するように、ハロゲン形に構造化されたLED照明器具であってハロゲン球形状のようなＬＥＤ照明器具の後部に組み込まれている光学アクセスを備える光ガイドカプラを含むＬＥＤ照明器具のソケットの中央への光ガイドの挿入及び取付けが可能になるであろう。
【００３０】
照明器具制御のための光信号が一旦共通になり標準になると、如何なる将来のＬＥＤ構造、それは照明パネル、照明ボックス又は他の構造及びアセンブリであっても、低価格で光ガイドカプラを組み込むことができ、本発明の光信号によって制御することができ、完全に絶縁されたケーブル及び火災問題の解決策を提供し、将来の照明及び電気製品の制御媒体のためのベース及び環境を安価に提供することができる。
【００３１】
さらに、前記電流ドレインや照明器具又は他の電気器具にスイッチが入っていることを確認するために、電力オンコマンドへの返しに供給される他のデータは、エネルギー消費のリアルタイム制御のための、及びエネルギー管理を提供するための完全な解決策である。そのような応答確認によって、ホームオートメーションコントローラ、ビデオインターホン又はショッピング端末は、前記照明器具及び他の機器の「オン状態」又は前記コマンドが前記機器のスイッチを切ることになっているときの「オフ状態」と共に、常に更新される。
【００３２】
ホームオートメーションコントローラは、以降、前記米国特許及び前記出願係属中の米国出願に開示されたビデオインターホン及び／又はショッピング端末に類似するコントロールキー又はタッチスクリーンを備えるパネル及び／又は遠隔制御装置を参照する。
【００３３】
前記した目的、他の目的及び本発明の特徴は、添付図面を参照しての本発明の好適な実施例の以下の説明から明白になるであろう。
【図面の簡単な説明】
【００３４】
【図１Ａ】典型的な電球の斜視図であり、
【図１Ｂ】典型的なソケットの斜視図であり、
【図１Ｃ】典型的な電球及びソケットの断面図であり、
【図１Ｄ】電球形及びベースに構成されたＬＥＤ照明器具の断面図であり、
【図２Ａ】本発明のＬＥＤ照明器具に含まれた光ガイドカプラの斜視図であり、
【図２Ｂ】図１Ｂに示されたソケットに取り付けられる光ガイドの斜視図であり、
【図２Ｃ】図１Ｂに示されたソケットに取り付けられる光ガイド及び本発明のＬＥＤ照明器具に含まれた光ガイドカプラの断面図であり、
【図２Ｄ】図１Ｂに示されたソケットに取り付けられる光ガイド及び本発明のＬＥＤ照明器具に含まれた光ガイドカプラを拡大して示す断面図であり、
【図３Ａ】典型的なハロゲン電球の斜視図であり、
【図３Ｂ】典型的なソケットの斜視図であり、
【図３Ｃ】本発明の光ガイドカプラの１つ又は２つのアクセスに1つ又は２つの光ガイドを取り付けるように適合されたソケットと共に、典型的なハロゲン電球形状を示す断面図であり、
【図３Ｄ】本発明の光ガイドカプラの１つ又は２つのアクセスに1つ又は２つの光ガイドを取り付けるように適合されたソケットと共に、典型的なハロゲン電球形状を示す斜視図であり、
【図３Ｅ】本発明の光ガイドカプラの１つ又は２つのアクセスに1つ又は２つの光ガイドを取り付けるように適合されたソケットを示す斜視図であり、
【図３Ｆ】本発明の光ガイドカプラの１つ又は２つのアクセスに1つ又は２つの光ガイドを取り付けるように適合されたソケットを分解して示す斜視図であり、
【図４Ａ】図２Ｂに示された電球ソケット及び好適な実施例の光ガイドカプラの一方向又は双方向アクセスへの光ガイドの取付けを示す斜視図（１）であり、
【図４Ｂ】図２Ｂに示された電球ソケット及び好適な実施例の光ガイドカプラの一方向又は双方向アクセスへの光ガイドの取付けを示す斜視図（２）であり、
【図４Ｃ】図２Ｂに示された電球ソケット及び好適な実施例の光ガイドカプラの一方向又は双方向アクセスへの光ガイドの取付けを示す斜視図（３）であり、
【図４Ｄ】図２Ｂに示された電球ソケット及び好適な実施例の光ガイドカプラの一方向又は双方向アクセスへの光ガイドの取付けを示す斜視図（４）であり、
【図４Ｅ】図２Ｂに示された電球ソケット及び好適な実施例の光ガイドカプラの一方向又は双方向アクセスへの光ガイドの取付けを示す斜視図（５）であり、
【図４Ｆ】図２Ｂに示された電球ソケット及び好適な実施例の光ガイドカプラの一方向又は双方向アクセスへの光ガイドの取付けを示す斜視図（５）であり、
【図５Ａ】ホームオートメーション光制御分配器の斜視図であり、
【図５Ｂ】前記分配器への取付けのための光ガイドプラグの斜視図であり、
【図５Ｃ】図５Ａのホームオートメーション分配器と、ビデオインターホンを備える相互接続システム及び本発明の好適な実施例のＬＥＤ照明器具を制御し、操作するためのコマンドコンバータの使用とを示す電気ブロック図であり、
【図６Ａ】光ガイドと、携帯遠隔制御ユニットを通しての遠隔制御を含む本発明のスイッチコントローラとを経由して各ＬＥＤ照明器具の制御及び操作のための基本的な接続を示す斜視図（１）であり、
【図６Ｂ】光ガイドと、携帯遠隔制御ユニットを通しての遠隔制御を含む本発明のスイッチコントローラとを経由して各ＬＥＤ照明器具の制御及び操作のための基本的な接続を示す斜視図（２）であり、
【図６Ｃ】光ガイドと、携帯遠隔制御ユニットを通しての遠隔制御を含む本発明のスイッチコントローラとを経由して各ＬＥＤ照明器具の制御及び操作のための基本的な接続を示す斜視図（３）であり、
【図６Ｄ】光ガイドと、携帯遠隔制御ユニットを通しての遠隔制御を含む本発明のスイッチコントローラとを経由して各ＬＥＤ照明器具の制御及び操作のための基本的な接続を示す斜視図（４）であり、
【図７】本発明のシステムコントローラへの接続を含む図６Ａ〜６Ｄの複数のローカルスイッチコントローラ及びキーパッドを含む、より大きな相互接続システムの斜視図であり、
【図８】ホームオートメーション分配器と、本発明の光ガイドコンバータ経由のＬＥＤ照明器具又は照明設備と共に、前記光ガイドケーブルの直接的な相互接続とを示す斜視図であり、
【図９Ａ】本発明のＡＣコンセント及びケーブルアセンブリを示す斜視図であり、
【図９Ｂ】本発明のＡＣコンセント及びケーブルアセンブリ経由で接続され、制御される照明電気器具の斜視図であり、
【図９Ｃ】本発明のＡＣコンセント及びケーブルアセンブリを示す断面図であり、
【図１０Ａ】光受信アクセスを備えるテレビ用電源ソケットを含む本発明の電源コンセントにモールド電源ケーブルを経て接続されたテレビの斜視図（１）であり、
【図１０Ｂ】光受信アクセスを備えるテレビ用電源ソケットを含む本発明の電源コンセントにモールド電源ケーブルを経て接続されたテレビの斜視図（２）であり、
【図１０Ｃ】光受信アクセスを備えるテレビ用電源ソケットを含む本発明の電源コンセントにモールド電源ケーブルを経て接続されたテレビの斜視図（３）であり、
【図１０Ｄ】光受信アクセスを備えるテレビ用電源ソケットを含む本発明の電源コンセントにモールド電源ケーブルを経て接続されたテレビの斜視図（４）であり、
【図１１Ａ】本発明の光ガイドのための裁断機の斜視図であり、
【図１１Ｂ】本発明の光ガイドの切断端の取付けのために適用される結合アダプタの斜視図（１）であり、
【図１１Ｃ】本発明の光ガイドの切断端の取付けのために適用される結合アダプタの斜視図（２）である。
【発明を実施するための形態】
【００３５】
図１Ａは、典型的な電球１を示し、該電球は、後部端子２を備える従来よく知られたねじ式ベース３と、ガラス球５内に封入され、内部接続４Ｐ２及び４Ｐ１を経てその前記ねじ式ベース及び後部端子すなわち接点２に接続された点灯フィラメント４とを含む。図１Ｂは、電球１のためのよく知られているソケットホルダー１０を示し、該ソケットホルダーはねじ式ソケット１３及び後部接触子１２を含み、その両者が図１Ｃに示された端子７Ｔを経て電源線７に接続されている。
【００３６】
電球１のソケットホルダー１０への取付けは、後部端子すなわち後部表面２がソケット１０中で接触子１２に触れるまで、よく知られているねじ式動作すなわちソケット１３への前記球の右回り回転によって処理される。図１Ｃの断面図で示されているように、ねじ式ソケット１３の内部構造及び後部接触子１２は、図１Ｄに示された標準球及びベースに構成されたＬＥＤ照明器１Ｌに個別の制御線を接続するための端子を付加することが文字通り不可能なようなものである。
【００３７】
そのようなねじ式ソケットの中に低電圧制御線を接続することは、後部端子２を取り替えるために、例えば３つの接触リング（図示しない）を必要とするかもしれない。前記リングの１つは、ＡＣ電源供給のためであり、２つの他のリングは低電圧制御線のためである。そのようなリングの間の絶縁体は非常に薄く、危険になるであろうし、さらに、電気及び建築の規制条例は同じＡＣソケット中でのＡＣ電源と低電圧制御線との結合接続を禁止する。誰かが、例えば誤って、通常の電球をそのような３つのリングソケットに挿入すると、それが低電圧接点に活性ＡＣを短絡させ、それにより活性ＡＣが低電圧線に導入され、活性ＡＣが低電圧制御線全体に電気を流すことにより、損傷あるいは死亡を引き起こすかもしれないので、そのような禁止の規制条例は適切である。
【００３８】
他方、実際には理論上可能であるが、無線制御及び／又はＡＣ線経由での制御を使用するオプションは、それぞれ及びすべてのＬＥＤ照明デバイスがアドレスとアドレス指定を必要とし、また持続性の送電線ノイズがＡＣ直接動作用に作られたＬＥＤ照明器具のために使われるスイッチングレギュレータによって作り出されたノイズを含み、電力のクリッピングやチョッピングは、ＲＦ信号及び／又はＡＣ電線を経るそのような個々の点灯制御を非実用的にする。だれかがなおそうするかもしれないが、そのようなシステムは、設定、動作及び維持のために、非常に複雑で高価になるであろう。
【００３９】
図２ＡはＬＥＤ照明器具１６Ｌの背面図を示し、該ＬＥＤ照明器具は、そのベースの光ガイドカプラ６又は６ＴＲと、その後部端子又は後部表面２Ｌの中央に設けられ、一方向光制御信号を受け又は双方向信号を光コントローラ又はホームオートメーションコントローラと交換するための光信号アクセス６Ａとを含む。図示のねじ式ベース３は、図１Ｃに示された電球１及び図１Ｄに示されたＬＥＤ照明器具１Ｌのねじ式ベースと同じであるが、図２Ａに示されたソケットの後部接触子１２Ｌは、前記光信号を通過させるための光アクセスを提供すべく、その中央部に切り抜き部１２Ａを備えて構成されている。
【００４０】
図１Ｄに示されたＬＥＤ照明器具１Ｌは、電球１に実質的に同一又は類似の球及びベースを備えて形づくられ、構成されている。差違は、使われた照明素子、内部回路及び素材にある。電球１は、フィラメント４が高温に熱せられるので、ガラス物質で構成されるが、前記ＬＥＤ照明器具は、その消費電力がずっと小さくまた高温にならないので、球５Ｌを含んで、プラスチック材料で作られる。発光素子は、ドライバーＰＣＢ４Ｄに搭載されたよく知られている発光ダイオードアレイすなわち複数のＬＥＤ４Ｌであり、ドライバーＰＣＢ４Ｄは、ＬＥＤ電流制御回路を含み、その電力は整流器及びレギュレータＰＣＢアセンブリ４Ｒから供給される。前記ＰＣＢ４Ｒは、ソケット１０及び電源線７を経てＡＣ電源に接続するために、配線４Ｐ２を経てねじ式ベース３に、また電線４Ｐ１を経て後部端子２に内部で接続されている。ＬＥＤ照明器具１Ｌは、白熱灯１と同様、スイッチを経てＡＣ電源が電源線7を経て適用されるとき、動作する。
【００４１】
上述したように、図２Ａ及び２Ｃに示されたＬＥＤ照明器具１６Ｌは、そのベース中央に、光信号アクセス６Ａを通して、また図２Ｂ及び２Ｃに示されたソケット１０Ｌの後部接触子１２Ｌのアクセス１２Ａを通して光信号を受け取るための光ガイドカプラ６又は６ＴＲ(トランシーバ)を含む。図示の光ガイドカプラ６は、オン、オフなどのコマンド、又はＬＥＤ照明器具の輝度の低減のための調光コマンドあるいは色の変更のためのコマンドを受け取るためのフォトトランジスタ又はピンダイオードである。後に説明されるようにオン、オフの切り換えコマンドは、アドレスを含むコード化されたコマンドの伝達とすることができ、あるいは光ガイド８を経る連続的な光信号の単純な伝達とすることができ、例えば、光が存在して光ガイドカプラ６に供給されるとき、スイッチが入り、また光が光ガイド８から供給されないときにスイッチが切れる。
【００４２】
調光及び輝度制御が、パルス列による前記ＬＥＤを操作によって達成されるので、パルス繰り返し数、パルス幅及びパルスレベルに基づく前記ＬＥＤの調光のような制御は、単に、前記光ガイド経由でのそのような光パルス列の伝達によって達成することができる。そのような種々の制御パルスは、さらに拡張されたコマンドに信号の光の色に基づく参照を提供するために可視光信号（４００〜７００ｎｍ）の及び／又は光信号スペクトルをＵＶ範囲（４００ｎｍ未満）及び／又は図５〜８に示された制御装置の光信号送信器として低価格ＬＥＤを使用し、ＩＲ範囲（７００〜９５０ｎｍ）に拡張するために、所定の波長の伝達を含むことができる。
【００４３】
図３Ａは典型的なハロゲン電球２０を示し、該ハロゲン電球はそのよく知られた２ピンプラグ２２及びベース２３と、ガラス球２５に封入されたフィラメント２４を含む。図３Ｂは、よく知られたハロゲンソケット３０と、電源線７に接続されたその接点３２とを示す。ねじ式電球１と異なり、図示のハロゲン電球２０は、図３Ｃに示されたハロゲン電球２０Ｌなどのように、そのソケット３０に差し込まれる。電気回路４Ｒと、ハロゲン球形のＬＥＤ照明器具２０Ｌのドライバー４Ｄとは、標準球１Ｌの前記ＬＥＤ照明器具の回路に同一又は類似する。前記回路は、基本的に、ＡＣ駆動の照明器具のための整流器と、前記ＬＥＤに供給される電流を制御するために電圧調整器４Ｒ及びドライバー４Ｄとを使用する。前記ＬＥＤ照明器具をＤＣ電源で動作させる場合、整流器を不要にすることができ、ある照明器具は電圧調整器を含まないかもしれず、あるいは、前記ドライバー回路は代わりに電流調節用ダイオードを含むことができる。
【００４４】
前記制御信号の構造及び内容に応じて、前記ＬＥＤ照明器具の中央演算処理装置（ＣＰＵ）は、該照明器具の操作のための受信信号を処理するように、使うことができる。代わりに、前記ＬＥＤ照明器具を操作するための信号が、連続的な光伝達及び／又はＬＥＤ輝度の制御のためのパルス列伝達である場合、前記ＣＰＵは必要ではなく、使われないかもしれない。前記回路の詳細は後で議論されるが、該回路のタイプと使われる制御信号の内容とに拘わらず、白熱球又はハロゲン電球に用いられたベース及び／又は電球と同様、ベース及び電球内に構成された前記ＬＥＤ照明器具は、照明設備のためにグローバルに使われるような前記標準ソケットに類似する光ソケットに光ガイドホルダー及びアクセスを導入することにより、前記ＬＥＤ照明器具の動作及び制御のために光制御信号を伝達する光ガイドケーブルを経てリンクすることができる。
【００４５】
ＬＥＤパネル、ストリップ、リフレクター球、枝付き燭台球、装飾及び他の専用構造のＬＥＤ照明器具などの多くの他の形状及び構造のＬＥＤ照明器具は、すべて、ベース又はプラグ及びソケット経由で電線と接続し、光アクセスを通してその光信号をＬＥＤ照明器具の光ガイドカプラに伝達するように、ソケットに含められている光アクセスを通るあるいは光ガイドを取り付けるための別個のホルダーを通る光ガイド又は光ファイバケーブルを経て制御することができる。
【００４６】
さらに、図２ＡのＬＥＤ照明器具１６Ｌのねじ回転によってそのソケットに取り付けることができないＬＥＤ照明器具は、コントローラからコマンドを受け取るための１つと、該コントローラへ光信号を戻すための１つとのデュアル光ガイドを使うことができる。１６ＬのようなＬＥＤ照明器具及び他のすべてのＬＥＤ照明器具は、単一の光ガイド経由で双方向光信号通信が可能である。
【００４７】
以下に説明するように、光ガイド経由の双方向信号は、プリズム、パスフィルタを使い、あるいは他の光案内素子及び異なる波長光伝送経路経由で又は受光器及び送信器を含む他の組合せ半導体トランシーバパッケージ経由で、伝達することができる。
【００４８】
１つの（受信）光ガイド経由で、オン、オフ、調光、色「ｎ」への変更又はプログラム「ｎ」への変更のような動作コマンドをＬＥＤ照明器具に伝達し、第２の光ガイド経由で、待機、オフ、オン、調光等のような確認及び電流状態を伝達することは、同様に単純である。ＬＥＤ照明器具のＬＥＤがＤＣ動作であるので、電流ドレイン情報のためにＬＥＤドライバーを起こし、データを前記照明器具の前記ＣＰＵに供給するか、電流が検出されたときスイッチを入れまた電流が検出されないときスイッチを切るように、ＬＥＤ送信器を駆動することは簡単である。
【００４９】
図３Ａに示された前記ハロゲン電球及びベース２０と同様な構造のＬＥＤ照明器具２１Ｌが図３Ｄに示されており、該照明器具は、２つの光ガイドカプラ、操作コマンドを受けるための受信器６Ｒ及び帰還データを生成するための送信器６Ｔを備え、両器は、また図３Ｅ及び３Ｆに示されており、ソケット３１Ｌに取り付けられたデュアル光ガイド８にデュアルアクセス６Ａを経てアクセスする。
【００５０】
電球ソケット３１Ｌは、電球ソケット３０Ｌと異なり、単独のねじ８Ｎによって固定された２つの光ガイドのそれらの入口８Ｅへの取付けを提供し、前記両光ガイドは、図３Ｄ及び３ＥのＬＥＤ照明器具２１Ｌの光ガイドカプラ６Ｒ及び６Ｔと整合する。
【００５１】
図３Ｆは、ねじ８Ｙの頭部８Ｄでの光ガイドプラグ８ＰＬの２つの圧力タブ８ＴＢに適用されるデュアル光ガイド８への締め付け圧力による、他の取付け、固定の構造及び方法を示し、８ＰＬアセンブリが断面で示されている。タブ８ＴＢを光ガイドケーブル８に締めるねじ８Ｙは、また、プラグ８ＰＬをくぼみ又はソケット空間８Ｚに係止する。
【００５２】
本発明によって提供される光ガイド及び光ファイバケーブル８のための種々の取付け具及び支持構造が図４Ａ〜４Ｆに示されている。これらは、図５Ａ及び５Ｂに示されたケーブルホルダー８Ｈへの及びケーブルソケット８Ｓへのケーブル８の挿入及び図４Ａ〜４Ｆに示された単一ねじ８Ｎ又は成形タブ８Ｔを用いた単純なケーブルの挿入及び係止／固着を含む。図４Ａ〜４Ｃは、本発明の好適な実施例の設置／接続の簡素さを示す。前記光ガイド又は光ファイバケーブルは、単純に切断され、単一の入口８Ｅに挿入され、溝８Ｇ内に曲げられ、単一のねじ８Nによって所定位置に保持され固定され、他方、図４Ｄ〜４Ｆでは成形タブ８Ｔによる所定位置への係止である。
【００５３】
図４Ａ及び４Ｄは、ソケット１０Ｌの背面への光ガイド８の取付け具及び締め具を示す。図４Ａ及び４Ｄの双方は、光ガイド８を経るフォト又はオプチカル受信器６への一方向のコマンド伝達のＬＥＤ照明器具１６Ｌのベースの後部を示す。図４Ａの光ガイド８は、その入口８Ｅにねじ８Ｎによって固定されており、入口８Ｅは、光アクセス６Ａに光ガイド８を導く。図４Ｄは、図４Ａに示されたと類似のソケット１０Ｌを示すが、光ガイド８が溝８Ｇの中に１対のタブ８Ｔによって固定され、該タブは光ガイドケーブル８を適所に強固に保持する。
【００５４】
図４Ｂ及び４Ｅは、図４Ａ及び４Ｄとそれぞれ同じ取付け構造を示すが、受光器６Ｒ及び光送信器６Ｔに取り付けられたプリズム６Ｐを経る双方向通信の伝達を示す。図４Ｃ及び４Ｆは、また、それぞれ図４Ａ及び４Ｄの取付け構造を提供するが、トランシーバ光ガイドカプラ６ＴＲを経る双方向光通信信号の伝達を示し、該カプラは受光器及び光送信器を含むパッケージ化された半導体である。米国特許出願１２／２３６，６５６及び１２／６３２，１０８に開示された多くの他の取付け具及び締め付け具が参照によってここに含まれる。
【００５５】
上記したところ及び以下で光ガイド及び光ファイバという用語は、類似するか又は同一である。光ガイド及び光ファイバは、光伝搬の原理に基づいた全反射によって光を伝達し、その伝達計算は両方の用語に適合する。しかしながら、実際の場で、前記両用語は、異なるケーブル構造、材料及び厚さ又はファイバコア及びそのクラッドの直径ごとで使われる。したがって、２つの用語が先にまた以降にそのように繰り返されるが、先の及び以降の、また請求項の「光ファイバ」又は「光ファイバケーブル」という用語は、「光ガイド」、及び「プラスチック光ファイバ」（ＰＯＦ）として知られたケーブル、及び／又はより多くの光を伝達するためにより厚いコアを有する光ファイバケーブルをいう。
【００５６】
光ファイバは、これまで長距離の高速通信のために使われており、世界中で、ステップインデックス形ファイバ、グレーデッド形ファイバ及びシングルモードから成る。ステップインデックス形ファイバのコア径は２００μｍであり、それは低速度通信で、数百メートルの短い距離の間で用いることができ、それは現在ではめったに使われない。１００μｍのより太いコア径を有するいくつかが入手可能であるが、一般的なファイバは、５０μｍ又は６４μｍのコア径を有する多重モードケーブル又はグレーデッド形ファイバである。多重モードファイバは最高１ｋｍ又は２ｋｍまでの距離に使われる。長距離の高速通信のために使われるファイバは、数十及び数百キロメートルを超える光信号の伝達を可能にしている８μｍの（１０μｍより小さい）コア径を有するシングルモード光ファイバである。
【００５７】
マルチモードファイバは光信号を生成するために複数のＬＥＤを使用するが、シングルモード光ファイバはその単一の光信号を生成するためにより高価なレーザのみを使用する。さらに、マルチモード及びシングルモード光ファイバの両方の非常に細いコアは、高精度のファイバ成端とコネクタとを必要とし、それらのすべては高価であり、設置、配線、及び組立の間、適合に時間がかかる。
【００５８】
マルチモード及びシングルモードの光ファイバの他の重要な特徴は、ファイバコアのミクロン（マイクロメータ）サイズのために、それらが伝達する光量が非常に少ないことである。この同じ理由のために、マルチモード及びシングルモードの光ファイバは、トランスインピーダンス増幅器を有する既知の高速ピンダイオードのような非常に敏感で高価な受信素子を必要とする。
【００５９】
またプラスチック光ファイバ（ＰＯＦ）と呼ばれる、より太いコア光ガイド（１．０〜１．２ｍｍ）は、臓器写真をとるための侵略的又は非侵略的なファイバスコープなどの医療機器の照明のために広く使われている。より太い光ファイバは、ステップインデックスファイバータイプに属し、０．５ｄＢ／ｍまでのより高い減衰を示し、数ｋｂ／秒の低速通信では１００ｍの実際の長さに光ガイドの使用を制限する。
【００６０】
しかしながら、より大きなコア直径は、より多くの光を伝達し、したがって、低価格のフォトレジスタ、フォトダイオード、フォトダイアック、フォトトランジスタ、フォトトライアック、ＣＭＯＳ、ＣＣＤ及び光起電性セルで使われ得る。コアの大きい直径(最高２．０ｍｍ／０．１インチ以上）のため、受信器の感光面に光ガイドを位置合わせする精度は、シングルモード又はマルチモード光ファイバコネクタのための臨界的なミクロン精度を必要としない。同じことが、光信号を光ガイドに供給するＬＥＤ（送信器）にあてはまる。ＬＥＤの光ガイドへの結合は、また厳密な精度を必要としておらず、ミクロン精度は、前記ＬＥＤから放たれた光にアクセスする光ガイドの配置のために重要ではない。
【００６１】
より大きなコア光ガイド及びプラスチックの光ファイバは、より大きな感光面を有する受信器の上により多くの光を伝達し、また、したがって、マルチモード及びシングルモードの光ファイバで使用されるスーパ高感度及び高コストの受信器と、送信器とを必要としない。同じことが前記コネクタにあてはまり、光ガイドは高精度のコネクタを必要とせず、前記光ガイドは、完全にコネクタなしで、又は前記ケーブル端を半導体の前記光アクセスにロックするための簡単な機械式のスナップオンコネクタ又はケーブルホルダーによって、受信器、送信器及びトランシーバを含む半導体パッケージに取り付けることができる。
【００６２】
他の利点は、前記コア光ガイドのプラスチック素材、ＰＭＭＡ又はフッ化処理された（perfluorinated）ポリマ、鋭いナイフ又は裁断機式カッタを用いて切ることにより終端処理される一層柔らかい材料にあり、さらなる擦り合わせ又は研磨を必要としない。前記柔らかいコアは光ガイドに５ｍｍ（０．２インチ）程度の小さな半径の鋭い曲がりを提供し、これは設置者に前記ケーブルを至るところで繰り返して曲げることを強いる多くの仕切りや壁を備えるアパートや建物で極めて有益である。これは珪素又は他のガラス材料を主成分とする光ファイバとはっきりした対照をなしており、該光ファイバは、より硬く、ケーブルの端末の擦り合わせ及び研磨、高価で精密な取付けが必要となり、長く伸びた通信ネットワークでは問題を全く提供しない５０ｍｍ（２インチ）より小さい半径でより柔らかく曲げることを必要とされないが、混雑した標準の壁掛け電気ボックス内でのスイッチにマルチモード又はシングルモードのファイバ光ケーブルを接続することは文字通り不可能になるであろう。
【００６３】
さらに、光ガイド及びプラスチックの光ファイバは、可視光を伝達するように設計されており、８５０ｎｍ、１，３５０ｎｍ及び１，５５０ｎｍ以上の帯域での波長を有するいずれも不可視であるＩＲ信号を伝達する光ファイバとは対照的である。前記光ガイドは広い光信号スペクトル(ＵＶからＩＲまで)を伝達するが、前記光ガイドのピーク伝播又は最小減衰波長は６５０ｎｍ又は赤光領域である。これは、光制御及び光通信の信号をコントローラへ及び該コントローラから、制御信号コンバータへ及び該コンバータから、また光ガイドカプラ間で送信するための送信器として、低価格の高輝度赤色ＬＥＤ素子の使用を可能にする。
【００６４】
上記の説明から、光ガイド及びプラスチックの光ファイバ、又は低速通信のための１００ｍ（３３０フィート）〜２００ｍ（６６０フィート）の範囲のケーブル長さで、壁の中又は壁に沿った、家庭、レジデンス、オフィス、小規模作業場、レストラン、工場、ホール及び他の建物及び施設において、より大きなコアを備える光ファイバは、あらゆる点で精度と高コストを伴うマルチモード及び高速通信のために使われるシングルモード光ファイバの使用に比べてずっと安くなるであろう。
【００６５】
ホームオートメーションシステム分配器及び電源６０Ｍが、図５Ａ及び５Ｃに示されている。同様な分配器及び電源が前記出願係属中の米国特許出願でまた開示されている。図５Ｃのシステム分配器６０Ｍのブロック図は、双方向データプロセッサ７０を経るビデオインターホンモニタ７２の双方向通信を示し、データプロセッサ７０は、音声と、映像と、警報と、ホームオートメーションと、とりわけＵＳＢドライバー７４を経てまたインターネット７７を通してのＰＣ７６と例えば家主のオフィス又は他の場所での家主との間の通信を可能にするための双方向データとを処理する。
【００６６】
ビデオインターホンシステムを通してその家主に供給される音声、映像、警報及びデータの他、彼はホームオートメーション、照明及び電気器具によって使われたエネルギー及びその状況を点検することもできる。前記所有者は、さらに、思いのままに、照明及び／又は電気器具のいずれか又はすべてに命令を発し、操作し又はそのスイッチを切ることができる。分配器及び電源６０Ｍは、さらに、入力端子６７へのビデオカメラの接続又はＣＣＴＶビデオシステムセレクタの出力端子の接続を提供し、これにより家主に特に警報の間の家の内部及び／又は外部のビデオ映像を提供する。
【００６７】
図示の低電圧有線データドライバー６９と、有線データドライバー及び電源６９Ｐとは、前記出願係属中の米国特許出願で十分に説明されており、単一の光ガイド８を経てプロトコル変換器４８及び４８Ｐを、またデュアル光ガイド８を経てプロトコル変換器４９及び４９Ｐを如何にしてシステムに接続するかを説明するために、ここに示されている。コマンド変換器４８Ｐ及び４９Ｐは、端子６４Ｐを経てデータドライバー６９Ｐと通信しまた該ドライバーから電力を与えられ、他方、プロトコル変換器４８及び４９は、電源７８のＤＣ電力端子７８−１１を経て、また他のＤＣ電源出力から個々に電力を供給されるようにそれぞれ示されており、該ＤＣ電源出力は、また照明器具２１Ｌに電力を供給し端子６４を経てデータドライバー６９と通信することができる。
【００６８】
図５Ｃのブロック図は、５つのさらにｎのＲＸ−ＴＸ受信／ドライバー回路６５を示し、該回路は、光ガイド又は光ファイバケーブル８を経て光コマンドを供給しまた状態及びデータを受信するために、よく知られているドライバーＩＣ６５Ｔと、受信器ＩＣ６５Ｒと、光送信器（ＬＥＤ）６Ｔ及び受信器（光トランジスタ又はダイオード）６Ｒ又はトランシーバ６ＴＲとを含む。ＲＸ−ＴＸ回路６５は、集合回路として示されているが、米国特許出願１２／６３２，１０８で明らかにされているように、前記回路６５を含み前記ドライバー及び受信器と共に、光ＲＸ−ＴＸ素子の全体を単一の光ガイドカプラＩＣ、例えば３ｍｍ直径のＬＥＤのために使用されているような従来よく知られた透明なパッケージに一体化することができる。これにより、回路全体が、実際には、その上面又は側部が光ガイドを伝わる光信号のアクセスとなる、４つのリードすなわち端子付きＬＥＤなどの小さな構造とすることができる。
【００６９】
同じＲＸ−ＴＸ集積ＩＣ回路６５は、コマンド変換器、スイッチコントローラ、リレー、スイッチ、ＬＥＤ照明器具、キーパッド、ビデオインターホン又はショッピング端末、専用コントローラ、コンセント、ソケット及びプラグ、電流センサ、コマンドリピータ、ＩＲドライバー及びその他など、照明制御装置を含む双方向光信号を変換し、伝達し、処理するためにホームオートメーションシステムの全体にわたって使われる。
【００７０】
図５は、デュアル光ガイド８を取り付けるための２つのＲＸ−ＴＸ回路６５（＃１〜＃２）、単一の光ガイド又は光ファイバケーブル８を取り付けるための、トランシーバ６ＴＲを含む２つのＲＸ−ＴＸ回路６５（＃３及び＃４）及びプリズムを含む２つ以上のＲＸ−ＴＸ回路６５（＃５及び＃ｎ）を示す。
【００７１】
図５Ａのシステム分配器及び電源６０Ｍの実例は、＃１及び＃２アクセスがデュアル光ガイド８のために用いられ、他方＃３〜＃ｎが単一光ガイドデュアル光ガイド８の取付けのために用いられている類似の配置を示すが、例えばすべての光アクセスすなわちポートへの単一光ガイドケーブルのみの取り付けを含み、他の如何なる組合せをも適用することができる。分配器６０Ｍは、前記ＬＥＤ照明器具への一方向コマンド（状態は送り返さない）又は例えば電流状態の受信のみのためのような、一方向への光伝達のために使用することができる。
【００７２】
図５Ａ及び５Ｂは、光ガイド8を光ポートとも呼ぶことができる光ガイドカプラアクセスに取り付けるための他のプラグ及びソケットを示す。図５Ｂは、２つのタイプのプラグを示し、プラグ８ＨＪは、該プラグがソケット８ＨＲのテーパを付されたくぼみに係止されたときケーブル８に口金８Ｊを締め付けることにより、前記光ガイドを係止する。他方のプラグ８ＨＣは、２本のカラー付き中空ピン８ＣＬを備え、２本の光ガイドケーブル８が前記ピンに結合又はかしめられる。両プラグ８ＨＪ及び８ＨＣは、図５Ａに示された分配器６０Ｍのパネルのソケット空間８ＨＲに適合するように寸法を決められ、構成されている。分配器６０Ｍのさらなる詳細、図面及び説明は、前記出願係属中の米国出願及び米国特許に開示されており、参照によって個々に組み込まれている。
【００７３】
プロトコル及びコマンドの変換器４８、４８Ｐ、４９、４９Ｐが単一又はデュアルの光ガイド８を経て照明器具１６Ｌ、２０Ｌ、２１Ｌ及びＬＥＤ照明パネル２８Ｉに取り付けられて示されており、該ＬＥＤ照明パネルは、先に開示された前記ＬＥＤ照明器具の前記回路への整流器、電力調整器、制御及びドライブ回路が同様であるが、その光アクセスは電力プラグ及びソケットとは分離して設けられている。
【００７４】
図６Ａ及び６Ｂは、本発明のＬＥＤ照明器具を操作するための基本的な制御及びスイッチ装置９７及び９７Ａを示す。制御及びスイッチ装置９７は、ＡＣ電源線により動作され、制御コマンドを伝達するための制御回路を含み、図５の分配器６０Ｍの送受信回路６５と同様に、光ガイドケーブル８を経て戻されたデータを受け取る。制御及びスイッチ装置９７は、照明器具１６Ｌへの電力のオン、オフを切り換えるためのリレー、ＯＣＭＯＳＦＥＴ又はトライアックのような電源スイッチを含む。回転式スイッチ９２は、前記照明器具にアドレス指定しまたそのプログラム選択のために使用されるが、不要で使用されなければ、例えば「オン」コマンドが、光ガイド８を通して連続的な光を供給すべく送信器ＬＥＤ６Ｔを単純にスイッチオンする場合、又は照明器具１６Ｌの調光レベルを制御すべくパルス列を送る場合、回転式スイッチ９２は使われず、不要である。押し込み式又はタッチキー９３は、該キーを繰り返して触れることにより、スイッチを入れまたスイッチを切り及び／又は段階的に前記照明器具を調光するように使用される。
【００７５】
図６Ｂは、同様な制御装置９７Ａを示すが、電源のオン、オフ切り替えはない。オン、オフの切り替えは照明器具１６Ｌのドライバー回路にプログラム化されており、ＡＣ電源は図示の照明器具１６Ｌ又は他のＬＥＤ照明器具へ恒久的に適用され、オン、オフ及び／又は他の制御は、光ガイド８経由で供給される光制御コマンドによって実行される。前記制御装置９７Ａの送信器ＬＥＤ６Ｔによるスイッチ「オン」コマンドは、コード化されたコマンド、又は照明器具１６Ｌをスイッチオンするための前記光ガイドを経る連続的な光の供給あるいは照明器具１６Ｌ又は他のＬＥＤ照明器具の輝度又は調光を制御するためのパルス列の供給とすることができる。
【００７６】
図６Ｃ及び６Ｄは同様なスイッチ制御装置９８及びスイッチ機能のない制御装置９８Ａを示し、その両者は、照明器具１６Ｌ又は他の照明器具を操作するための図示のＩＲ遠隔コントローラ２００からコマンドを受け取るためのＩＲ受信器９４を含む。図示の遠隔コントローラユニットは、ＲＦ遠隔コントローラユニット２００ＲＦとすることができ、また図示のＩＲ受信器９４をこれに代えてＲＦ無線遠隔制御を提供するためにＲＦアンテナに取り替えることができる。
【００７７】
図６Ａ〜６Ｄに示された光ガイド１０８は、単独での設置では不要であり、図６Ａ〜６Ｄに示された個々の設置のためには使われない。しかしながら、より大きな制御系のために、図７に示された他のコントローラとの間で双方向コマンド及び状態を伝達し、交換するために、スイッチコントローラ９７、９７Ａ、９８及び９８Ａは、２つ以上の光ガイドカプラー（２つのみが示されている）を含む。光ガイド１０８及び８は、同一の光ガイドであり、記載の簡素化のために異なる番号が付されている。図示の２本の光ガイドケーブル８及び１０８は、図５ＣのＬＥＤ照明器具２１Ｌに関して示されているようなデュアルの光ガイド取付けなどで使うことができる。
【００７８】
図示の押し込み又はタッチキー９３は、コントローラ９７、９７Ａ、９８及び９８Ａ、照明器具１６Ｌ又は他の照明器具及び／又はスイッチコントローラ自体を操作するために、トグル、スライド、ロータリー、レバー、パッド又は他のキー又はノブタイプに置換することができる。前記スイッチャコントローラを照明器具１６Ｌに接続する図示の単一の光ガイドケーブル８は、照明器具１６Ｌや他の照明器具の前記プログラムに従って、スイッチオンすべく光送信の一方向連続供給のために使用することができる。
【００７９】
コントローラ９７と９７Ａとの差違又は９８と９８Ａとの差違は、ＡＣのスイッチングであり、すべてのスイッチ機能付きコントローラは、前記照明器具の調光レベルを制御すべく光ガイドケーブル８を経て連続的な光又はパルス列を供給し（オン状態）、又は一連のコード化されたコマンドを生成し伝達することができ、スイッチ機能付きコントローラ９７及び９８は、またＡＣ電力供給をスイッチオン、オフする。例えば照明器具１６Ｌのスイッチを切るために、コントローラ９７Ａ又は９８Ａは、光ガイド８を経る光信号の伝達の供給を絶つか、又はコード化された「オフ」コマンドを伝達するがスイッチコントローラ９７及び９８はＡＣ電源のスイッチを切る。
【００８０】
光双方向信号は、図５Ｃのハロゲン形ＬＥＤ照明器具２１Ｌ又はＬＥＤパネル２８Ｌを制御するための図示の２つの光ガイドと同様に、図示の単一の光ガイド８を経て又は２つの光ガイド８及び１０８を経て、照明器具１６Ｌに伝達され得る。
【００８１】
図７は、スイッチコントローラを介しての個々のＬＥＤ照明器具の現場での手動制御、近くの（local）部屋用キーパッド１１２Ｌからの現場制御（local control）、ＩＲ遠隔コントローラ２００による又はいずれかの部屋からのＲＦコントローラ２００ＲＦによる近くの部屋(視線内)での遠隔制御、遠く離れた部屋からの他のキーパッド１０９を介しての遠隔制御、及び制御専用のシステムコントローラ、ビデオインターホン又はショッピング端末からの遠隔的又は自動的な設定等を示す。前記遠隔制御は、切り換え制御キーパッド装置付き照明器具に直接接続されて又は前記システム分配器６０Ｍを経由であることができる。図７は、実際、本発明の簡単な低価格光ガイドネットワーク経由で任意の数のＬＥＤ照明器具を制御することにおいて極端な単純さ及び柔軟性を示す。
【００８２】
図７の例では、各スイッチコントローラ９７、９７Ａ、９８及び９８Ａを介して、また（光ガイド８と同様な）光ガイド１０８を介してローカルな部屋キーパッド１００と接続されている図７に示されたすべての照明器具は、ローカルな部屋のすべての明かりを切り換えて、制御するためだけに必要な装置である。遠隔制御２００又は２００ＲＦは、ローカルに、他の部屋からの付加的な便利さを提供する。マスターベッドルーム内などの遠隔部屋キーパッド１０９は、オプションとして、追加することができるが、キーパッド１１２Ｌは一人で使うことができて、その場合、配線８０Ｐ、キーパッド１０９、分配器６０Ｍ及び他のコントローラは、必要でなく、使われない。
【００８３】
上に説明されるように、各ＬＥＤ照明器具は、ローカルな部屋キーパッド１１２Ｌへの接続の有無に拘わらず、そのスイッチコントローラ９７、９７Ａ、９８及び９８Ａを介して手動で操作することができる。それでも、レジデンス又はオフィス及び同様な又はより大きな組織内でのすべての照明器具の制御のために、すべての部屋、廊下及び台所にカスケード式のキーパッド１０９を提供することは、同様に可能である。前記キーパッドは、単一のキーを経てすべての照明器具を「オフ」又は「オン」するように、又は前記ビデオインターホン、前記ショッピング端末、又は専用のコントローラを経て前記システムを接続するように、また遠隔距離から前記ＬＥＤ照明器具を制御するためにインターネットを経て接続するように、及び／又は設定された日時に自動的にスイッチオン、オフするように、プログラムすることができる。
【００８４】
図示の光ガイド１０８は、光ガイド８と同じであり、それは、前記ＬＥＤ照明器具を前記スイッチコントローラに接続するように図７に示されている。光ガイド１０８は、参照された前記米国特許及び米国出願に開示されたキーパッドの拡張であるキーパッド１１２Ｌと接続されて示されている。キーパッド１１２Ｌは、該キーパッドのＣＰＵ（図示せず）の入出力ポートに接続されている図５に示されたＲＸ−ＴＸ回路６５のｎ番号を追加することによって拡張される。
【００８５】
図８は、ツイストペア８０Ｐ及び８０を経由する低電圧信号線系統相互接続と、シングル及びデュアル光ガイド又は光ファイバケーブル８を経由する光信号の伝播とを示す。キーパッド９０は、ツイストペア８０Ｐを経てカスケード接続されており、キーパッド９０への電力供給を含み、ツイストペア８０Ｐの線を経て分配器６０Ｍと双方向通信を伝達する。キーパッド９０は、明かりや他の電気器具を遠隔制御するために使われており、参照された前記米国出願にそれらの回路と共に開示されている。
【００８６】
５Ｃの分配器６０Ｍのブロック図に例示するように、ＲＸ−ＴＸ回路６５、ＣＰＵ６１及び配線されたデータドライバー６９又は６９Ｐを使って、低圧信号を光信号に変換しまた光信号を低電圧信号に変換するために、コマンド変換器４９が、双方向低電圧信号の通信のためのツイストペア８０を経て分配器６０Ｍに接続されて示されている
【００８７】
コマンド変換器４９は、所定の電気ボックスに取り付けられ、例えば図５Ｃの端子７８−１１から供給されたＤＣによって電力を受け、前記電気ボックスがＡＣ電源線との接続がないことを確実にする。それは、図８に示されているように、デュアル光ガイド又は光ファイバケーブル８を経由して、調光器９６（別の電気ボックスに設定されている）に接続されており、これにより、調光器９６と、前記システム分配器及び電源６０Ｍとの間の双方向通信を電気的障害が無くまた建築及び電気の規制条例に総合的に準拠して提供することができる。
【００８８】
図８のコマンド変換器４８Ｐは、通信回線８０Ｐ（ツイストペア）を経てシステム分配器及び電源６０Ｍに接続されて示されている。配線８０Ｐは、コマンド変換器４８Ｐなどの接続された機器を動作するためのＤＣ電源をまた供給する。コマンド変換器４８Ｐは単一の光ガイド又は光ガイドケーブル８を経てスイッチアセンブリ９５に接続して示されている。この配置では、コマンド変換器４８は、上に説明したコマンド変換器４９と同様に、AC電源接続をまったく有さず、電気ボックスに設置され、コマンド変換器４８のボックスと前記スイッチ９５のボックスとの間の接続は、１つの光ガイド又は光ガイドケーブル８を経てなされ、該ケーブルは高い絶縁レベルを提供し、電気や火災の危険をもたらさず、また建築及び電気の規制条例に総合的に準拠する。
【００８９】
図示のコマンドコマンド変換器４８Ｐ４は、４本の光ガイドケーブル８への双方向通信のための４チャンネル変換器であり、該ケーブルの３本がシャンデリア１６０の個々のＬＥＤ枝付き燭台球１６ＬＣに取り付けられている。４本目の光ガイド８は電源スイッチ組み合わせ体９５に取り付けられている。前記スイッチ９５は、ＳＰＤＴ電気スイッチ及びＳＰＤＴ機械スイッチを結合し、また前記米国特許出願１２／６３２，１０８に開示されているように、前記スイッチ９５は、前記機械スイッチを経て手動で、及び明かりや図８に示されているような他の電気器具の操作のためのキーパッド、タッチスクリーン及びＩＲ又はＲＦ遠隔制御を含むホームオートメーションネットワークを経て遠隔的にスイッチオン、オフすることを可能とする。
【００９０】
前記変換器４８Ｐ−４は、選ばれた照明プログラムによって個々のＬＥＤ枝付き燭台球１６ＬＣを制御することを提供し、各前記球１６ＬＣの放出色のスイッチオン、オフ、調光又は変更及び／又はスイッチ９５による前記シャンデリア全体の電源のスイッチオフの制御を提供する。前記球１６ＬＣ及び前記スイッチ９５に至る光ガイドケーブル８及び前記スイッチ９５から前記シャンデリア１６０へのＡＣ線が隔たって又は分離して示されているが、実際には、それらすべては共通の導管を通して供給できる。なぜなら、光ガイド８は全体に絶縁物であり、危険にさらすことなく安全に高電圧ＡＣ電源配線システムと混在させることができるからである。
【００９１】
図８に示されたコマンド変換器４８Ｐ２は、低電圧制御信号を受け取るため、また照明器具又は他の電気器具及びスイッチ装置へのデュアル双方向変換光信号の伝搬及び応答のための２チャンネル変換器である。図８に示された前記変換器４８Ｐ２は、２つの電源スイッチ９５に取り付けられ、その電源スイッチの一方は先に参照された組合せスイッチ９５として示され、他方のスイッチは、パッケージ化されたＩＣ９５ＩＣから取り外されて示されている。
【００９２】
前記参照米国特許及び出願に開示されているようなキーパッド９０は、前記各
キーにそのアドレス及び機能をそれぞれに割り当てるためのデジタルスイッチを含み、キーパッド９０のいずれかのキーが、スイッチのオン、オフ及び調光のために設定され、あるいは本発明のＬＥＤ照明器具の放出色又は他の電気器具の機能のプログラム又は変更のために設定される。
【００９３】
図示のすべてのコマンド変換器４８、４８Ｐ、４９及び４９Ｐに含まれる受光器及び送信器回路６５（図示せず）は、図５Ｃに示された光送信器６ＴＲ、前記回路ＴＸ６５Ｔ及びＲＸ６５Ｒ、デュアル光ガイドのためのプリズム６Ｐ、統合されたカプラ６ＴＲ、及び分配器６０Ｍのためのデュアルアクセスを含む集積回路６５に類似する。これは、デュアル光ガイド８を経てコマンド変換器４９に接続された図８の調光器９６又はスイッチ９５と、単一の光ガイドケーブル８を経て接続されるそれぞれ個々のＬＥＤ照明器具１６ＬＣとの操作を可能にする。
【００９４】
前記ＬＥＤ照明器具及び他の電気器具の操作のための電気信号を前記光ガイド又は光ファイバケーブルを経て伝搬するための光すなわち光信号に変換するために、低電圧制御線８０Ｐ及び８０を経て前記コマンド変換器を相互接続すること（ＤＣ電源供給の有無に拘わらず）は、低価格で安全に実装することができ、家庭、オフィス又は仕事で使われた多くの照明器具の制御を含めて、さらに非常に効率的なホームオートメーションシステムを提供することができることが明らかになる。
【００９５】
さらに、図示のコマンド変換器４８及び４９は、前記ＬＥＤ照明器具と直接にあるいは前記電気規制条例の要求を完全に満たして前記ＡＣ電源線で動力を得る切り換え装置を経て接続されており、また前記スイッチ装置９５又は９６は、電気ボックスの中に設置されており、全くの絶縁物でありかつ電気的に安全な光ガイド８を介して相互接続されている。前記光ガイド及び／又は光ファイバケーブルは、難燃性で、充分に建築資材の消防規則に適合する。
【００９６】
図９Ａ〜９Ｃには、ＡＣ電源プラグ１２３及びケーブル１２２への光学式の光ガイドアクセス１２８を有するＡＣコンセント１２０への二分された光ガイド８の導入が、前記プラグのパワーピン側の光ガイドアクセス１２８Ｐを含んで示されている。
【００９７】
図９Ａは２口電源ソケット１２４を有する標準の電源コンセント１２０の正面図を示し、各ソケット１２４は光学式の光ガイドアクセス１２８を含み、該アクセスは、同じ図９Ａに示された差し込み口ユニット１２０の後部入口１２７を通りアクセス１２８に取り付けられかつ先に説明した図３Ｆに示されたタブ及びねじと同様なねじ頭部８Ｄ及び圧力タブ８ＴＢによって固着された２口の二分された光ガイドケーブル８の切断面である。
【００９８】
図９Ｂに示された光ガイド８を含む電力ケーブル１２２は該ケーブル及びプラグ１２３の一体成形であり、二分された他方である前記光ガイドケーブルの切断端すなわち光学経路の切断面は、ＡＣプラグ１２３の正面の突出円面に取付けられており、それはアクセス１２８Ｐを形成する。ソケット１２４のアクセス１２８は、該アクセス１２８を形成する円形凹所である。プラグ１２３を有するケーブル１２２がモールド成形されて示されているが、普通の電源プラグに光ガイドのための取付け及び図示のアクセス１２８Ｐに類似するアクセスを設けることができ、またケーブル１２２に類似するケーブルに光ガイド８を含ませることができる。
【００９９】
プラグ１２３がソケット１２４に差し込まれるとき、その突出するアクセス１２８Ｐがへこんだアクセス１２８に適正に一致し、コンセント１２０の光ガイド８の切断面とプラグ１２３の光ガイド８の切断面とが、光すなわち光信号の伝搬のために並んで、それらの間に非常に狭い間隔を置くように、アクセス１２８及び１２８Ｐの両方はつがいを形成する。そのような狭い間隔は、信号レベルを低下させるが、オン、オフを切り替え、図９Ｂに示された卓上ランプ１６５を制御するために、符号化されたコマンドの伝達及び／又は光信号の継続的な供給を可能とする。
【０１００】
卓上ランプ１６５は、照明器具１６Ｌ、バルブソケット１０Ｌ及び図７のスイッチコントローラ９７、９７Ａ、９８又は９８Ａを含む。前記スイッチコントローラは、卓上ランプのベースの寸法及び形状に合うように機械的に構成されるが、それは先に説明されたスイッチコントローラ９７及び９７Ａの機能、回路及び動作と同一である。図９Ｂに示されたコンセント１２０に取り付けられた２分された光ガイド８は、図７のキーパッドキーパッド１１２Ｌに、又は図５の前記ホームオートメーション分配器６０Ｍ又はビデオインターホン７２に、及び卓上ランプ１６５の遠隔操作及び切り換えのための、ＩＲ又はＲＦ遠隔制御、ショッピング端末に含まれるようなタッチスクリーン又はキーパッド９０又は１０９あるいは図５Ｃに示されたインターネットを通しての使用を含んで、他の専用コントローラに、接続することができる。
【０１０１】
図９Ｃで結合している光ガイド８の平面の断面図は、前記光ガイドの２つの分割された切断口が、事実上２ｍｍより少ないか、あるいは０．１インチ未満とすることができる距離で間隔をおいて配置されることを明確に示す。先に説明したように、光ガイドが裁断機によって終端処理されるとき、擦り合わせ又は研磨が不要であり、裁断機による光ガイドの２分は、最小の損失での光信号の伝播を可能にする。前記切断面間のそのような間隔の光の又は光信号の減衰は、１．０ｍｍのコア径を有する光ガイドについて約１０ｄＢ〜１２ｄＢであり、同じ直径（１．０ｍｍ）の約２０〜２５ｍ（６６〜６３フィート）の光ガイドケーブル長の減衰に等しい。これはそのような直列間隔によって分断された光ガイドの全体の最大長を制限するであろうが、十分に長い光ガイドケーブルの使用を可能とし、使用されるべきコマンド変換器４８又は４９、又はホームオートメーション分配器６０Ｍと、ＡＣコンセント１２０との間は、使用可能で実用的な距離内に充分にある。最高２〜４ｍｍまでの切断間隔を有する２５〜３０ｍ（８０〜１００フィート）の長さの光ガイドケーブルは、卓上ランプ１６５又は図１０Ａ〜１０Ｄに示されたテレビのような他の電気器具を操作しまた制御するに必要とする距離を超えた４．８００バンドでの双方向光信号伝播を提供するであろう。
【０１０２】
さらに、導管又はプレナム内に設置された光ガイドが、短く、拡張される必要があることが見出されたとき、又は光ガイドケーブルが破損し、切断して再び取り付ける必要があるとき、図１１Ａに示された鋭い裁断機１７０によるきれいに切断された面の物理的な取付けは、１〜３ｄＢの最小光損失をもたらす。熱収縮管、内側接合管及び結合アダプタを使うなど、切断された光ガイドの２つの表面を共に物理的に付着して接合する多くの方法がある。
【０１０３】
図１１Ｂは管状アダプタ本体１８１を含む圧着型結合アダプタ１８０を示し、前記アダプタ本体１８１は、切断片８−１及び８−２が、図示の２つの表面８Ｃを物理的に一致させ、また圧着工具１８３によってアダプタ本体１８１の両端をかしめるために挿入されるように、タイトな寸法を有する。
【０１０４】
図１１Ｃは、上部顎１９１Ｕ及び底部顎１９１Ｂの２つの部品と、ロック管１９５とから成る自動ロック式結合アダプタ１９０を示す。両顎１９１Ｕ及び１９１Ｂは、ロック管１９５のテーパを付された穴１９７によって、最初に挿入される切断片８−１の端部を後部入口１９２を介して締め付けるように加圧される。反対側の入口１９８を通して前記光ガイド切断片８−２を挿入して、２つの表面８Ｃを一致させ、行き着くところまで前記ロック管１９５を滑らせることによって切断片８−２の端部を締め付け、これにより前記両切断片の結合を完成する。
【０１０５】
図示の停止リング１９３は前記ロック管の前進移動を制限し、ロックリング１９６は、ロックノッチ１９４に掛かると、ロック管１９５をその締め付け位置に係止する。
【０１０６】
前記ＬＥＤ照明器具を操作し、監視し、制御するための制御装置と、図面に示され説明されたあるいは議論された上記の他の電気器具との間の異なる光ルートは、光信号への低電圧信号の変換を含む他のルートのため紛らわしくなるかもしれない。
【０１０７】
基本的な直接の２点間のルートは、非分割光ガイドを経て制御装置と、ＬＥＤ照明器具や他の電気器具との間を接続したことである。２点間の典型的な例は、図７のＬＥＤ照明器具１６ＬＣとキーパッド１１２Ｌとの間で示された光ガイド接続である。
【０１０８】
他の基本的な直接の２点間光ガイド接続は、ＬＥＤ照明器具１６Ｌのアクセス６Ａなどの光ガイドカプラアクセスへの終端処理された一端の取付け、及び制御装置の光ガイドカプラアクセスへの終端処理された他端の取り付けである。直接の２点間ルートは、図６Ａ〜６Ｄに示されているようなスイッチコントローラ９７、９７Ａ、９８及び９８Ａと、照明器具16Lとの間などのＬＥＤ照明器具の単独制御を含む。
【０１０９】
分配され又は再伝達される２点間ルートが図７に示され、それによって、すべての図示のスイッチコントローラは、キーパッド１１２Ｌと前記スイッチコントローラとの間で伝達される光信号を再伝達する。前記光信号は前記ＬＥＤ照明器具に再伝達されて、逆もまた同様、前記スイッチコントローラと前記ＬＥＤ照明器具との間に伝達された信号は前記キーパッドに再伝達される。
【０１１０】
符号９７で示されるようなスイッチコントローラに接続された光ガイド１０８及び８は、図５Ｃに示されたようなＣＰＵとの電気信号交換のために、双方向光信号を変換するための双方向アクセス及び光ガイドカプラに取付けられる。前記ＣＰＵは、光信号を光ガイド１０８を経てキーパッド１１２Ｌに又は光ガイドケーブル８を経て前記ＬＥＤ照明器具に伝えるために、同じ又は他の光ガイドカプラを経てプログラムされた電気信号を供給する。
【０１１１】
変換された２点間光信号は、また図５Ｃに示されており、該図にはコマンド変換器４８、４８Ｐ、４９及び４９Ｐが示されており、該変換器は電気信号を変換し、また該変換器と前記照明器具との間に取り付けられた１又は２本の光ガイドケーブルを経て光信号を伝搬する。
【０１１２】
先に説明しまた後に説明される二分割された光ガイドは、２つの終点間で直接に接続されない。２点間は、制御の光ガイドカプラ、分配器又は変換器と、ＬＥＤ照明器又は電気製品の光ガイドカプラとの間の接続である。二分割された光ガイドは、前記制御端又は前記電気器具端のような一端とのみ接続することができる。
【０１１３】
制御端の二分割光ガイドの切断面は、図９Ａ〜９Ｃ及び１０Ａ〜１０Ｄに示されているようなＬＥＤ照明器の又は電気器具のアクセスに取り付けられる第２の又は延長された光ガイドの分割面に取付けられることになっている。したがって、前記二分された光ガイドは、二分された切断面であるアクセス１２８を経て終端処理される。図１０Ａ〜１０Ｄに示される前記ＬＥＤ照明器具及び／又はテレビ１４０に接続される分割され、延長された光ガイドは、電力ケーブル１２２に含められている光ガイド８である。前記延長された光ガイドは、プラグ１２３と、テレビ１４０の光ガイドカプラへの取付けのためのＡＣソケット１２５とを経てアクセスされる。
【０１１４】
図９Ａ〜９Ｃ及び１０Ａ〜１０Ｄに示されている二分割された前記光ガイドは、電源線及びケーブルの異なる組み合わせによって接続された電気ボックス、導管、ソケット及びプラグなどの電気配線系のために使われる種々の電気素材に接続することができる。本発明の光ケーブルは、電気配線系と混合することができ、それゆえ、該電気配線系は、電気供給と共に、制御装置と、ＬＥＤ照明器具又は電気器具との間で光路を提供するための二分割された光ガイド８及びアクセスを含む。
【０１１５】
以下に説明されるような二分割光ガイドは、先で議論された第２のすなわち延長された二分割された光ガイドを取り付けるためのアクセスを提供すべく分割されてはおらず、それらは、破損した光ガイドの修理に関連して、及び／又はその長さを拡張するために、ここで単に議論される。結合された分割光ガイドは、２点間接続の完遂又は分割されたアクセス接続への接続端の接続のための光ガイドの直列修理又は延長である。
【０１１６】
図１０Ａには、液晶テレビ１４０に取り付けられた電力ケーブル１２２及びプラグ１２３が示されている。プラグ１２３は、卓上ランプ１６５が接続されると同じ方法でコンセント１２０に接続される。テレビ１４０は、スイッチコントローラ９７、９７Ａ、９８及び９８Ａ（図示せず）を含み、該テレビのオン、オフを手動で切り換えるための電源オン、オフキー９３を備えて示されており、同時に遠隔での電源オンオフを含むどのようなタイプの制御コマンドをも光ガイド８を経てテレビ１４０に供給され得る。
【０１１７】
電力ケーブル１２２に含められている前記光ガイドは、テレビ１４０内で光ガイドカプラ（図示せず）のアクセスに取り付けられ、図示されない前記光ガイドカプラは、図２Ｃ及び２Ｄの前記ＬＥＤ電球の前記図示されたアクセス及び光ガイドカプラ６又は６ＴＲに、及び／又は先に及び参照された前記米国特許出願１２／２３６，６５６及び１２／６３２，１０８で議論された他のいずれかの光ガイド取付け具に、類似している。同様に、前記テレビは、電流ドレイン、動作モード及びさらに多くを含めて、先に議論された同じ方法で、システムコントローラへの状況を生成し、フィードバックすることができる。
【０１１８】
図１０Ｂは、プラグ１２３、ケーブル１２２及びケーブル直列ソケット１２５を結合して一体化されたケーブルを経るテレビの電源接続を示し、ソケット１２５は図１０Ｃに示されている電源コンセントへのＰＣ及びＡ／Ｖ電気器具接続のためのよく知られたモールド電力ケーブルである。しかしながら、前記モールド電力ケーブルは、その直列ソケット１２５の前面に、光ガイドケーブル８のためのアクセス１２８を含む。前記ケーブルに含まれた光ガイドは、図９Ｃに示されているようにその他方の終端でプラグ１２３を経て正確にアクセスされ、そこでは、ＬＥＤ照明器具の光ガイドカプラに関連して先に説明され議論されたと同様に、結合された前記モールドケーブルはテレビ１４０の電源ソケット１２５Ｓの光アクセス６Ａを通してコンセント１２０と光ガイドカプラ６又は６ＴＲとの間で光信号を伝達するであろう。これは、受信のみ、送信のみ及び／又は前記テレビなどの前記電気器具への電力供給と共に、双方向光信号の伝達を含む。
【０１１９】
前記した光ガイドの解決策は、さもなければ複雑で、高価で、電気及び消防の火災の条例、規則及び法令による制限に対し、低コストの解決策を提供する。この調和した相互接続とライトガイド経由の光学式のコマンドとは、前記オートメーションが、家庭、複数のアパート、オフィス、店舗及び他のすべての照明された、小さい、大きい、屋内及び野外の、街灯、スポーツスタジアム及び他の構造物を含む施設に浸透することを強く抑制する複雑さを解決することができる。
【０１２０】
前記した開示は、本発明の好適な実施例に関連するに過ぎず、ここに開示のために選ばれた本発明の実施例のすべての変更及び改良を覆うことを意図しており、その変更は本発明の精神及び範囲から逸脱することのないことはもちろん理解されるであろう。
【符号の説明】
【０１２１】
１Ｌ、４Ｌ、１６Ｌ、２０Ｌ、２１Ｌ、１６０、１６５  照明器具
６（６Ｒ、６Ｔ、６ＴＲ）  カプラ（受信器、送信器、トランシーバ）
６Ａ  光信号アクセス
６Ｐ  プリズム
８、１０８  光ケーブル（光ガイド）
８ＨＲ、１０、１０Ｌ、１３、３０、３０Ｌ、１２４  ソケット
８ＨＣ、８ＨＪ、８Ｃ、８Ｊ  取付け具（プラグ、口金、中空ピン）
１２  後部接触子
１２Ａ  切り抜き部（アクセス）
９６  調光器
９５、９７、９７Ａ、９８、９８Ａ  スイッチ装置
１２２  電力ケーブル（電源線）
１８０  結合アダプタ
２００  コントローラ
【図１Ａ】
2011198741.tif 000003
【図１Ｂ】
2011198741.tif 000004
【図１Ｃ】
2011198741.tif 000005
【図１Ｄ】
2011198741.tif 000006
【図２Ａ】
2011198741.tif 000007
【図２Ｂ】
2011198741.tif 000008
【図２Ｃ】
2011198741.tif 000009
【図２Ｄ】
2011198741.tif 000010
【図３Ａ】
2011198741.tif 000011
【図３Ｂ】
2011198741.tif 000012
【図３Ｃ】
2011198741.tif 000013
【図３Ｄ】
2011198741.tif 000014
【図３Ｅ】
2011198741.tif 000015
【図３Ｆ】
2011198741.tif 000016
【図４Ａ】
2011198741.tif 000017
【図４Ｂ】
2011198741.tif 000018
【図４Ｃ】
2011198741.tif 000019
【図４Ｄ】
2011198741.tif 000020
【図４Ｅ】
2011198741.tif 000021
【図４Ｆ】
2011198741.tif 000022
【図５Ａ】
2011198741.tif 000023
【図５Ｂ】
2011198741.tif 000024
【図５Ｃ】
2011198741.tif 000025
【図６Ａ】
2011198741.tif 000026
【図６Ｂ】
2011198741.tif 000027
【図６Ｃ】
2011198741.tif 000028
【図６Ｄ】
2011198741.tif 000029
【図７】
2011198741.tif 000030
【図８】
2011198741.tif 000031
【図９Ａ】
2011198741.tif 000032
【図９Ｂ】
2011198741.tif 000033
【図９Ｃ】
2011198741.tif 000034
【図１０Ａ】
2011198741.tif 000035
【図１０Ｂ】
2011198741.tif 000036
【図１０Ｃ】
2011198741.tif 000037
【図１０Ｄ】
2011198741.tif 000038
【図１１Ａ】
2011198741.tif 000039
【図１１Ｂ】
2011198741.tif 000040
【図１１Ｃ】
2011198741.tif 000041